(57)【要約】      （修正有）【課題】１以上の電気装置の、特殊機能を含む、状態及び電力レベルを制御及びプログラミングするための遠隔制御可能且つプログラミング可能な電力制御ユニットを提供する。【解決手段】システムは、ユーザが作動可能な遠隔送信機ユニットと、この遠隔送信機ユニットからの制御信号を受信するように構成されたユーザが作動可能な電力制御ユニットと、を有する。遠隔送信機ユニット及び電力制御ユニットの両方とも、最低電力レベルと最大電力レベルとの間の所望の電力レベルを選択するための電力選択アクチュエータと、１以上の電力シーンのプログラムされた電力レベル及び特殊機能を表わす制御信号を発生するための制御スイッチと、を有する。ユーザからの直接的な又は遠隔的な入力に応答して、１以上の電力シーンの１以上の電気装置を、オン状態とオフ状態との間で、所望のプログラムされたプリセットへと、又は最大電力レベルへと制御することができる。【選択図】図１
2008305800.tif 000002
【特許請求の範囲】
【請求項１】
少なくとも一個の電気装置に供給される電力を遠隔制御する装置であって、
（ａ）第１の送信機スイッチであって該第１の送信機スイッチの作動に応じて第１及び第２の制御信号を発生して送信するための第１の送信機スイッチを有するワイヤレス送信機と、
（ｂ）前記ワイヤレス送信機から送信された前記第１の制御信号を受信するための受信機を有する少なくとも一個の制御ユニットと、
を有し、
前記少なくとも一個の制御ユニットは、前記第１の制御信号に応じて、前記少なくとも一個の電気装置に供給される電力を制御するための、制御回路を有し、
前記第２の制御信号は、前記少なくとも一個の電気装置に供給されるプリセット電力レベルをメモリに格納するよう前記制御ユニットに命令する、
ことを特徴とする前記装置。
【請求項２】
少なくとも一個の電気装置に供給される電力を制御する装置であって、
電力制御回路と、第１の制御信号を発生するための第１の制御ユニットスイッチと、を有する少なくとも一個の制御ユニットを有し、
前記電力制御回路は、前記第１の制御信号に応じて、前記少なくとも一個の電気装置に供給される電力を制御し、
前記第１の制御ユニットスイッチは、前記少なくとも一個の電気装置に供給される電力をゼロでない電力レベルから実質的にゼロの電力レベルに低減させるよう前記少なくとも一個の制御ユニットに命令するため、及びプリセット電力レベルをメモリに格納するよう前記少なくとも一個の制御ユニットに命令するための、複数の追加の制御信号を発生するように作用する、
ことを特徴とする前記装置。
【請求項３】
少なくとも一個の電気装置に供給される電力を制御する装置であって、
電力制御回路と、第１、第２及び第３の制御信号を発生するための少なくとも一個の制御ユニットスイッチと、を有する、少なくとも一個の制御ユニットを有し、
前記電力制御回路は、前記第１の制御信号に応じて、前記少なくとも一個の電気装置に供給される電力を制御し、
前記第２の制御信号は、プリセット電力レベルをメモリに格納するよう前記制御ユニットに命令し、
前記第３の制御信号は、前記プリセット電力レベルを前記メモリから消去するよう前記制御ユニットに命令する、
ことを特徴とする前記装置。
【請求項４】
少なくとも一個の電気装置に供給される電力を制御する装置であって、
電力制御回路を有する少なくとも一個の制御ユニットと、
第１の制御ユニットスイッチであって、該第１の制御ユニットスイッチの作動に応じて、第１の制御信号を発生するための、第１の制御ユニットスイッチと、
を有し、
前記電力制御回路は、前記第１の制御信号に応じて、前記少なくとも一個の電気装置に供給される電力を制御し、
前記第１の制御信号は、前記少なくとも一個の電気装置に供給される電力を第１の遅延時間の後にゼロに低減させるよう前記制御ユニットに命令し、前記第１の遅延時間は、前記第１の制御ユニットスイッチが作動される時間の長さに比例する、
ことを特徴とする前記装置。
【請求項５】
少なくとも一個の電気装置に供給される電力を制御する装置であって、
電力制御回路と、第１、第２及び第３の制御信号を発生するための少なくとも一個の制御ユニットスイッチと、を有する、少なくとも一個の制御ユニットを有し、
前記電力制御回路は、前記第１の制御信号に応じて、前記少なくとも一個の電気装置に供給される電力を制御し、
前記第２の制御信号は、遅延時間の期間を第１のメモリに格納するよう前記少なくとも一個の制御ユニットに命令し、
前記第３の制御信号は、前記少なくとも一個の電気装置に供給される電力を前記遅延時間の後にゼロでない電力レベルからゼロの電力レベルに低減させるよう前記少なくとも一個の制御ユニットに命令する、
ことを特徴とする前記装置。
【請求項６】
少なくとも一個の電気装置に供給される電力を制御する装置であって、
少なくとも一個の送信機スイッチを有するワイヤレス送信機であって、該少なくとも一個の送信機スイッチは、第１及び第２の制御信号を発生して送信するための第１及び第２の送信機スイッチを含むワイヤレス送信機と、
前記ワイヤレス送信機からの前記第１及び第２の制御信号を受信するための受信機を有する少なくとも一個の制御ユニットであって、アドレス指定可能性と、前記少なくとも一個の電気装置に供給される電力を制御するための制御回路と、を有する、少なくとも一個の制御ユニットと、
を有し、
前記第１の制御信号は、複数のアドレスのうち一つを含む信号に応答するようになるよう前記少なくとも一個の制御ユニットに命令し、
前記第２の制御信号は、アドレス成分を含み、前記少なくとも一個の制御ユニットは、前記第２の制御信号の前記アドレス成分が前記少なくとも一個の制御ユニットに割り当てられたアドレスと同じ場合に、前記第２の制御信号に応答する、
ことを特徴とする前記装置。
【請求項７】
前記複数の追加の制御信号のうち一つは、前記少なくとも一個の電気装置に供給される電力をゼロの電力レベルからゼロでない電力レベルに増大させるよう前記少なくとも一個の制御ユニットに命令することを特徴とする請求項２に記載の装置。
【請求項８】
前記少なくとも一個の電気装置は、電灯を含み、前記少なくとも一個の電気装置に供給される電力を制御する前記電力制御回路は、前記電灯の光度を制御するための光度制御回路を含むことを特徴とする請求項１、２、３、４、５又は６に記載の装置。
【請求項９】
前記第１の制御スイッチの作動は、前記作動の前に前記電力制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令することを特徴とする請求項２、３、４又は５に記載の装置。
【請求項１０】
前記第１の制御スイッチの作動は、前記作動の前に前記電力制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令し、
ここで、前記プリセット電力レベルが前記メモリに格納されている場合には、前記ゼロでない電力レベルは前記格納されているプリセット電力レベルに等しく、又前記プリセット電力レベルが前記メモリに格納されていない場合には、前記ゼロでない電力レベルの状態は前記少なくとも一個の電気装置の最後の設定電力レベルである、
ことを特徴とする請求項２又は３に記載の装置。
【請求項１１】
短時間における前記第１の制御ユニットスイッチの２回の連続した作動は、前記少なくとも一個の電気装置に最大電力を提供するよう前記少なくとも一個の制御ユニットに命令することを特徴とする請求項２、３、４又は５に記載の装置。
【請求項１２】
短時間における前記第１の制御ユニットスイッチの３回の連続した作動は、前記プリセット電力レベルを格納するよう前記少なくとも一個の制御ユニットに命令することを特徴とする請求項２又は３に記載の装置。
【請求項１３】
短時間における前記第１の制御ユニットスイッチの４回の連続した作動は、前記メモリから前記プリセット電力レベルを消去するよう前記少なくとも一個の制御ユニットに命令することを特徴とする請求項２又は３に記載の装置。
【請求項１４】
第２及び第３の制御ユニットスイッチを有し、前記第２の制御ユニットスイッチの作動は、前記少なくとも一個の電気装置に供給される電力レベルを増大させるよう前記少なくとも一個の制御ユニットに命令し、前記第３の制御ユニットスイッチの作動は、前記少なくとも一個の電気装置に供給される電力レベルを低減させるよう前記少なくとも一個の制御ユニットに命令することを特徴とする請求項１、２、３、４、５又は６に記載の装置。
【請求項１５】
更に、第２及び第３の制御ユニットスイッチを有し、前記第２の制御ユニットスイッチの作動は、前記少なくとも一個の電気装置に供給される電力レベルを増大させるよう前記少なくとも一個の制御ユニットに命令し、前記第３の制御ユニットスイッチの作動は、前記少なくとも一個の電気装置に供給される電力レベルを低減させるよう前記少なくとも一個の制御ユニットに命令し、前記第２及び第３の制御ユニットスイッチは、前記メモリに格納される前記プリセット電力レベルを設定するのに使用されることを特徴とする請求項１、２又は３に記載の装置。
【請求項１６】
更に、前記プリセット電力レベルが前記メモリに格納されたことを指示する指示装置を有することを特徴とする請求項１、２又は３に記載の装置。
【請求項１７】
少なくとも一個の送信された制御信号を発生して前記少なくとも一個の制御ユニットに送信するための第１の送信機スイッチを有するワイヤレス送信機と、前記少なくとも一個の送信された制御信号を受信するための前記少なくとも一個の制御ユニット内の受信機と、を有することを特徴とする請求項２、３、４又は５に記載の装置。
【請求項１８】
前記第１の送信機スイッチの作動は、前記作動の前に前記電力制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令することを特徴とする請求項１又は１７に記載の装置。
【請求項１９】
前記第１の送信機スイッチの作動は、前記作動の前に前記電力制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令し、
ここで、前記プリセット電力レベルが前記メモリに格納されている場合には、前記ゼロでない電力レベルは前記格納されているプリセット電力レベルに等しく、電力レベルが前記メモリに格納されていない場合には、前記ゼロでない電力レベルは前記少なくとも一個の電気装置の最後の設定電力レベルである、
ことを特徴とする請求項１、２又は３に記載の装置。
【請求項２０】
前記ワイヤレス送信機は赤外線を送信し、前記受信機は前記赤外線を受信することを特徴とする請求項１又は１７に記載の装置。
【請求項２１】
短時間における前記第１の送信機スイッチの２回の連続した作動は、前記少なくとも一個の電気装置に最大電力を提供するよう前記少なくとも一個の制御ユニットに命令することを特徴とする請求項１又は１７に記載の装置。
【請求項２２】
第２及び第３の送信機スイッチを有し、前記第２の送信機スイッチの作動は、前記少なくとも一個の電気装置に供給される電力レベルを増大させるよう前記少なくとも一個の制御ユニットに命令し、前記第３の送信機スイッチの作動は、前記少なくとも一個の電気装置に供給される電力レベルを低減させるよう前記少なくとも一個の制御ユニットに命令することを特徴とする請求項１又は１７に記載の装置。
【請求項２３】
第２及び第３の送信機スイッチを有し、前記第２の送信機スイッチの作動は、前記少なくとも一個の電気装置に供給される電力レベルを増大させるよう前記少なくとも一個の制御ユニットに命令し、前記第３の送信機スイッチの作動は、前記少なくとも一個の電気装置に供給される電力レベルを低減させるよう前記少なくとも一個の制御ユニットに命令し、前記第２及び第３の送信機スイッチは、格納される前記プリセット電力レベルを設定するのに使用されることを特徴とする請求項１、２又は３に記載の装置。
【請求項２４】
更に、追加の電気装置に供給される電力を制御するための少なくとも一個の追加の制御ユニットを有し、該追加の制御ユニットは追加の受信機を有し、前記各制御ユニットは、各追加の電気装置に供給される追加のプリセット電力レベルを格納するように、前記第２の制御信号に応答することを特徴とする請求項１に記載の装置。
【請求項２５】
前記少なくとも一個の制御ユニットスイッチは、前記第１、第２及び第３の制御信号をそれぞれ発生するための、第１、第２及び第３の制御ユニットスイッチを有することを特徴とする請求項３に記載の装置。
【請求項２６】
前記少なくとも一個の制御ユニットスイッチは、前記第１の制御信号を発生するための第１の制御ユニットスイッチと、前記第２及び第３の制御信号を発生するための第２の制御ユニットスイッチと、を有し、前記第２の制御ユニットスイッチの連続した作動により、第２及び第３の制御信号が交互に発生されることを特徴とする請求項３に記載の装置。
【請求項２７】
前記少なくとも一個の制御ユニットは更に、前記第１の遅延時間の期間を指示する指示装置を有することを特徴とする請求項４に記載の装置。
【請求項２８】
前記少なくとも一個の制御ユニットは更に、該少なくとも一個の制御ユニットが前記第１の制御信号を受信したことを指示し、又該少なくとも一個の制御ユニットが前記第１の遅延時間を開始したが未だ前記第１の遅延時間の前記期間の終了に達していないことを指示する指示装置を有することを特徴とする請求項４に記載の装置。
【請求項２９】
前記第１の遅延時間の期間は、前記制御ユニットスイッチが閉止される時間の長さに比例することを特徴とする請求項４に記載の装置。
【請求項３０】
一時的な時間にわたる前記第１の制御ユニットスイッチの作動は、前記作動の前に前記電力制御回路が前記少なくとも一個の電気装置に供給される電力をゼロでない電力レベルであるよう制御している場合には、前記少なくとも一個の電気装置に供給される電力を、前記第１の遅延時間無しで、ゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令することを特徴とする請求項４に記載の装置。
【請求項３１】
前記第１の制御ユニットスイッチは更に、第２及び第３の制御信号を発生し、
前記第２の制御信号は、プリセット電力レベルをメモリに格納するよう前記制御ユニットに命令し、
前記第３の制御信号は、前記プリセット電力レベルを前記メモリから消去するよう前記制御ユニットに命令する、
ことを特徴とする請求項４に記載の装置。
【請求項３２】
更に、第１の送信された制御信号を発生して前記少なくとも一個の制御ユニットに送信するための第１の送信機スイッチを有するワイヤレス送信機と、前記送信された制御信号を受信するための前記少なくとも一個の制御ユニット内の受信機と、を有し、前記少なくとも一個の電気装置に供給される電力を第２の遅延時間の後にゼロに低減させることを特徴とする請求項４に記載の装置。
【請求項３３】
前記第２の遅延時間は、前記第１の送信機スイッチが作動される時間の長さに比例することを特徴とする請求項３２に記載の装置。
【請求項３４】
前記少なくとも一個の制御ユニットは更に、該少なくとも一個の制御ユニットが前記第３の制御信号を受信したことの指示、及び該少なくとも一個の制御ユニットが前記遅延時間を開始したが未だ前記遅延時間の前記期間の終了に達していないことの指示を有することを特徴とする請求項５に記載の装置。
【請求項３５】
一時的な時間にわたる前記少なくとも一個の制御ユニットスイッチの作動は、前記作動の前に前記電力制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記電力制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令することを特徴とする請求項５に記載の装置。
【請求項３６】
前記第１の制御ユニットスイッチは更に、第４及び第５の制御信号を発生し、
前記第４の制御信号は、プリセット電力レベルを第２のメモリに格納するよう前記少なくとも一個の制御ユニットに命令し、
前記第５の制御信号は、前記プリセット電力レベルを前記第２のメモリから消去するよう前記少なくとも一個の制御ユニットに命令する、
ことを特徴とする請求項５に記載の装置。
【請求項３７】
第２及び第３の制御ユニットスイッチを有し、前記第２の制御ユニットスイッチの作動は、前記少なくとも一個の電気装置に供給される電力レベルを増大させるよう前記少なくとも一個の制御ユニットに命令し、前記第３の制御ユニットスイッチの作動は、前記少なくとも一個の電気装置に供給される電力レベルを低減させるよう前記少なくとも一個の制御ユニットに命令し、前記少なくとも一個の制御ユニットは更に、前記遅延時間の前記期間を設定するための遅延設定スイッチを有することを特徴とする請求項３６に記載の装置。
【請求項３８】
前記遅延設定スイッチは、前記少なくとも一個の制御ユニットが前記少なくとも一個の電気装置に供給される電力をゼロであるように制御している時に前記遅延時間の前記期間を設定するのに使用される前記第３の制御ユニットスイッチであることを特徴とする請求項３７に記載の装置。
【請求項３９】
更に、第１の送信された制御信号を発生して前記制御ユニットに送信するための第１の送信機スイッチを有するワイヤレス送信機と、前記送信された制御信号を受信するための前記制御ユニット内の受信機と、を有し、前記第１の送信された制御信号は、前記少なくとも一個の電気装置に供給される電力を前記遅延時間の前記期間の後にゼロでない電力レベルからゼロの電力レベルに低減させるよう前記少なくとも一個の制御ユニットに命令することを特徴とする請求項５に記載の装置。
【請求項４０】
前記第１の送信機スイッチは、前記第２の制御信号の前記アドレス成分に含まれるべき前記複数のアドレスのうちの一つを選択するための、アドレス選択スイッチであることを特徴とする請求項６に記載の装置。
【請求項４１】
前記アドレス選択スイッチは更に、前記第１の制御信号において使用されるべき前記複数のアドレスのうちの一つを選択するために使用され、
前記ワイヤレス送信機は更に、第３の送信機スイッチを有し、該第３の送信機スイッチの作動は、前記第１の制御信号を送信させる、
ことを特徴とする請求項４０に記載の装置。
【請求項４２】
前記複数のアドレスのうち一つは全アドレスであり、該全アドレスが前記第２の制御信号の前記アドレス成分に含まれる場合には、前記少なくとも一個の制御ユニットに割り当てられている個々のアドレスに関係なく、前記少なくとも一個の制御ユニットの全てが前記第２の制御信号に応答することを特徴とする請求項４０に記載の装置。
【請求項４３】
更に、第１の制御ユニットスイッチを有し、前記少なくとも一個の制御ユニットにより前記第１の制御信号が受信された後の所定時間内に前記第１の制御ユニットスイッチが作動された場合に、前記複数のアドレスのうち一つが前記少なくとも一個の制御ユニット内のメモリに格納されることを特徴とする請求項６に記載の装置。
【請求項４４】
前記第１の制御ユニットスイッチの作動は、前記作動の前に前記制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令し、
ここで、前記第１の制御ユニットスイッチは更に、第３及び第４の制御信号を発生し、前記第３の制御信号は、プリセット電力レベルをメモリに格納するよう前記少なくとも一個の制御ユニットに命令し、前記第４の制御信号は、前記プリセット電力レベルを前記メモリから消去するよう前記制御ユニットに命令する、
ことを特徴とする請求項４３に記載の装置。
【請求項４５】
前記少なくとも一個の制御ユニットは更に、遅延時間を設定するための遅延設定スイッチを有し、前記第１の制御ユニットスイッチの作動は、前記少なくとも一個の電気装置に供給される電力を、前記遅延時間の期間の後に、ゼロでない電力レベルからゼロの電力レベルに低減させるよう前記少なくとも一個の制御ユニットに命令することを特徴とする請求項４４に記載の装置。
【請求項４６】
前記第１の制御ユニットスイッチの作動は、前記作動の前に前記制御回路が前記少なくとも一個の電気装置に供給される電力をゼロでない電力レベルであるよう制御している場合には、前記少なくとも一個の電気装置に供給される電力をゼロでない電力レベルからゼロの電力レベルに低減させるよう前記少なくとも一個の制御ユニットに命令し、又前記作動の前に前記制御回路が前記少なくとも一個の電気装置に供給される電力をゼロであるよう制御している場合には、前記少なくとも一個の電気装置に供給される電力をゼロからゼロでない電力レベルに増大させるよう前記少なくとも一個の制御ユニットに命令し、
ここで、前記第１の制御ユニットスイッチの作動は、前記少なくとも一個の電気装置に供給される電力を、遅延時間の後に、ゼロでない電力レベルからゼロの電力レベルに低減させるよう前記少なくとも一個の制御ユニットに命令し、前記遅延時間の期間は、前記第１の制御ユニットスイッチが作動される時間の長さに比例する、
ことを特徴とする請求項４３に記載の装置。
【請求項４７】
第４及び第５の送信機スイッチを有し、前記第４の送信機スイッチの作動は、前記少なくとも一個の電気装置に供給される電力レベルを増大させるよう前記少なくとも一個の制御ユニットに命令し、前記第５の送信機スイッチの作動は、前記少なくとも一個の電気装置に供給される電力レベルを低減させるよう前記少なくとも一個の制御ユニットに命令することを特徴とする請求項６に記載の装置。
【請求項４８】
赤外線受容面と、赤外線出力面と、それらの間に結合された赤外線透過性の本体部分と、を有し、
前記出力面は凹面形状を有し、前記本体部分は楕円に実質的に適合する外部表面を有する、
ことを特徴とする赤外線受光レンズ。
【請求項４９】
前記受容面は、矩形形状の平面を有することを特徴とする請求項４８に記載のレンズ。
【請求項５０】
前記本体部分の径は、前記矩形の長辺の寸法より小さいことを特徴とする請求項４９に記載のレンズ。
【請求項５１】
平面的な赤外線受容面と、
赤外線出力面と、
それらの間に結合された平坦な赤外線透過性の本体部分と、
を有し、
前記出力面は、赤外線検出器の入力面に実質的に適合する形状を有し、
前記平坦な本体部分は、楕円に実質的に適合する外部側面を有し、
前記外部側面は、前記本体部分の長手軸から横方向に離間され、又当該レンズの入力面及び前記本体部分に入る赤外線を前記出力面へと反射する形状とされ、
前記出力面は、前記赤外線検出器の入力面上へと赤外線を指向させ、
前記本体部分は、前記入力面と前記出力面との間の距離未満で、更に前記外部側面間の距離未満である厚さを有する、
ことを特徴とする赤外線受光レンズ。
【請求項５２】
当該レンズは、当該レンズの出力面が前記赤外線検出器の入力面に隣接し、かつ、当該レンズの出力面が前記赤外線検出器の入力面に向かうように及び前記赤外線検出器の入力面から離れるように移動するように、可動部材上に配置されることを特徴とする請求項５１に記載のレンズ。
【請求項５３】
少なくとも一個の電気装置に供給される電力を制御する装置であって、
（ａ）赤外線制御信号を発生して送信するためのスイッチを有するワイヤレス送信機と、
（ｂ）前記ワイヤレス送信機からの前記赤外線制御信号を受信するための受信機を有する少なくとも一個の制御ユニットと、
を有し、
前記少なくとも一個の制御ユニットは、前記赤外線制御信号に応じて、前記少なくとも一個の電気装置に供給される電力を制御するための、電力制御回路を有し、又前記少なくとも一個の制御ユニットは、赤外線受光レンズを有し、該レンズは、赤外線受容面と、赤外線出力面と、それらの間に結合された赤外線透過性の本体部分と、を有し、前記出力面は、凸面形状を有し、前記本体部分は、楕円に実質的に適合する外部表面であって、前記本体部分の長手軸の周りに形成された外部表面を有する、
ことを特徴とする前記装置。
【請求項５４】
前記受容面は、矩形形状の平面を有することを特徴とする請求項５３に記載の装置。
【請求項５５】
前記本体部分の径は、前記矩形の長辺の寸法より小さいことを特徴とする請求項５４に記載の装置。
【請求項５６】
前記少なくとも一個の制御ユニットは、可動の第１のスイッチアクチュエータを有し、前記赤外線受光レンズは、前記第１のスイッチアクチュエータ中の開口部内に配置されることを特徴とする請求項５３に記載の装置。
【発明の詳細な説明】
【技術分野】
【０００１】
発明の分野
本発明は、１以上の照明シーンをつくるため１以上の領域における１以上の電気装置の状態及び電力レベルを制御し、プログラミングする、ワイヤレス制御可能でプログラミング可能な電力制御装置に関する。
【背景技術】
【０００２】
発明の背景
スイッチ及び調光器を有する照明制御装置は、特定の部屋の光度（光強度）レベルを正確に制御することが特に望ましい場合、益々一般化してきている。最も簡単なタイプの調光制御照明装置において、トライアック等のソリッドステート電力制御装置の切り替えを制御する可変抵抗器の設定を制御する調光スイッチアクチュエータは、手で操作される。ソリッドステート電力制御装置の切り替えは、調光される電灯への電圧入力を変化させる。調光スイッチを組み込んだこのタイプの装置は、製造が簡単容易であるが、特徴及び柔軟性を追加することに制限がある。この装置に欠ける特徴は、後の光度レベルに調整した後、前の光度レベル又はプリセット（予め設定された）光度レベルに戻る能力である。通常、調光スイッチに基づく装置は、前の光度設定を記憶又は再び呼び戻す能力がない。その結果、プリセット光度レベルは、調光器の可変抵抗器を操作する際の試行錯誤によってのみ再び確立することができる。
【０００３】
他の照明制御装置は、前述した手動により操作する可変抵抗器制御調光スイッチと関連するいくつかの制限を解決するタッチ（接触型）アクチュエータ操作照明制御装置を有する。タッチアクチュエータ操作制御装置の一例では、電灯は延長されたタッチ入力に応答して薄暗い状態から明るい状態までの光度範囲のサイクルを繰り返される。所望の光度に達したとき、タッチ入力が停止され、サイクルが停止し、光度レベルがこのような装置によって通常与えられるメモリ機能に設定され（予め選択され）格納される。通常、次の短いタッチ入力は電灯を消し、更に短いタッチの入力は、メモリに格納された設定光度レベルで電灯を点灯する。このタイプの装置が、手動によって操作する調光スイッチに関する改良であるが、異なる光度レベルに到達するために光度レベルのサイクルをめぐることをユーザに要求する。更に、このタイプの装置は、光度レベルが変化したとき、設定された光度レベルまたはプリセット光度レベルに戻る能力が欠けている。ユーザは、所望の光度レベルを見いだすまで再びサイクルを通り抜けなければならない。更に、このタイプの装置は、１つの光度レベルから他の光度レベルまで次第にフェードするような、ある美的な効果を実行する能力がない。
【０００４】
米国特許第４，６４９，３２３号は、フェード効果を提供するマイクロコンピュータ制御照明装置を開示している。この特許に開示された制御は、入力をマイクロコンピュータに送る一対の非ラッチングスイッチによって操作する。マイクロコンピュータは、スイッチが軽くたたかれたか（タップされたか）或いは保持されたか（すなわち、スイッチが一時的な期間にわたってタッチされたか又はより長い期間にわたってタッチされたか）を決定するようにプログラムされている。スイッチが保持されたとき、光度は減少するか増大し、スイッチの解放によって光度設定をメモリに入力する。制御が静止光度レベルで動作する場合、スイッチをタップすることにより、光度レベルは、プリセットレベル、オフ、完全なオン（フルオン）、または中間レベルまでフェードさせられる。光度レベルがフェードしている間のタップは、フェードを終結させ、どのスイッチがタップされるかによって光度レベルを早急かつ突然にフルオンか又は完全なオフ（フルオフ）にシフトさせる。しかしながら、このタイプの制御は、それら自身欠点がないわけではない。例えば、ユーザによる１回のタップは、ユーザがスイッチにタップを適用する時の制御の状態により全く異なる２つの方法（フェードの始まりまたはフェードの終わり）のいずれかと解釈される。これはユーザを混乱させ得る。ユーザはフェードを開始しようとするときにフェードを誤って終了させることがあり、またその逆もあり得る。更に、フェードを進行させながら、同じスイッチの次のタップによってフェードを逆転することができない。その代わり、制御が一方向にフェードする間、タップは、フェードの方向を逆転しないが、制御をフルオン又はフルオフにジャンプさせる。低い光度レベルからフルオンまで、または、高い光度から全く光がない状態（フルオフ）までの突然のシフトは、ユーザ及びその区域にいる他の者にとってまったく驚きのものとなり得る（そして、ユーザ及び他の者が突然暗闇に放り込まれたとしたら危険でさえある）。
【０００５】
また特許４，６４９，３２３号に開示された制御は、他の従来の制御設計がそうであるように長期にわたるオフへのフェードが欠けている。多くの場合、ユーザは光を次第にフェードアウトすることができることが望ましい。例えば、ユーザは、就寝する前に寝室の照明を消そうとするが、照明が完全に消える前に制御場所からベッドまで通路を安全にするのに十分な光を持ちたいと思う。また、大きな建物の夜間従業員が出口から離れた場所にある中央の場所から周囲の光を消す必要があり、又出口に安全に歩くためにあるレベルの照明を必要とする場合がある。これらの特徴は、従来の制御によっては不可能であり、これは、すぐに暗くなるかまたは夜間を通して一定のレベルの光度をユーザに提供するものであるが、そのいずれもが承諾しがたい。
【０００６】
共通に譲渡された米国特許第４，５７５，６６０号，第４，９２４，１５１号，第５，１９１，２６５号，第５，２４８，９１９号、第５，４３０，３５６号及び第５，４６３，２８６号は、種々の照明制御装置を開示しており、この照明制御装置において、電灯または一群の電灯は、１以上の領域において、いくつかの異なる照明シーンをつくるために明るさが変化させられる。各照明グループを構成する電灯の明るさのレベルは、ＬＥＤの数、直線的に配列された発光ダイオード、または直線的なトラックの電位差計スライダの位置のいずれかによってユーザに表示される。
【０００７】
米国特許第５，１９１，２６５号及び第５，４６３，２８６号は、１以上の領域において一群の照明を制御するために壁取付型のプログラマブルモジュラー制御装置を開示している。これらの装置において、照明はマスター制御壁モジュール、遠隔壁ユニット、及び遠隔ハンド保持制御ユニットによって制御される。ハンド保持ユニットは従来の赤外線（ＩＲ）通信技術によってマスタ制御モジュールと通信する。
【０００８】
特許第５，２４８，９１９号の照明制御装置は、１以上の照明の状態及び光度レベルを有効かつ安全に制御するために必要な照明制御の特徴全体を有する。しかしながら、この装置は、ワイヤレス遠隔制御性、プログラマビリティ、プリセット機能及び遅延オフを固定（ロック）及び解除（ロック解除）する等の多くの所望の機能が欠如している。多くの場合、ユーザにとって、予め選択された光度レベルまたは状態に１以上の電灯をフェードすることができるか、または種々の遅延時間の後にオフにフェードすることができることが望ましい。１以上の照明シーンに関連する１以上の電灯のプリセット光度を遠隔的に制御し、プログラムすることができることが更に有利で望ましい。
【０００９】
“オンセット調光ＯＳ６００”として従来公知の他の照明装置は、Lightolier Controls社によって製造されている。ユーザが、他の機能も実行するアクチュエータによって、格納されたプリセット光度レベルを選択的にロック及びロック解除することができる本発明と異なり、従来技術のLightolier Controls社の装置は、格納されたときのプリセット光度をロック解除することはできない。換言すれば、Lightolier Controls社の装置は異なるプリセット光度レベルをそのメモリにロックすることだけができる。更に、本発明と異なり、Lightolier Controls社の装置は、プリセット光度レベルにロックするために専用のアクチュエータを備えた分離した専用のスイッチを使用する。
【００１０】
従来の制御装置の欠点を回避しながら、従来の制御装置では不可能な利点を提供する改良された照明制御装置のニーズがある。本発明はこのニーズを満たすものである。
【発明の開示】
【００１１】
発明の概要
本発明は、１以上の電気装置の状態及び電力レベルを制御及びプログラミングする少なくとも一個の電力制御ユニットを有する、ワイヤレス遠隔制御可能なプログラマブル電力制御ユニットと受信機の装置に関する。電気装置が光源であるとき、１以上の電力制御ユニットは、１以上の照明シーンをつくる１以上の領域の１以上の光源の光度を制御する。この装置は、ユーザが作動可能なワイヤレス遠隔ハンドヘルド型の送信機ユニットと、遠隔送信機ユニットからの制御信号を受信するようになっている少なくとも一個の電力制御及び受信機ユニットとを含む。電力制御ユニットの受信機は広角赤外線（ＩＲ）レンズを含み、この広角赤外線レンズは水平平面において広い視野を有するが、垂直平面においては視野が制限される。
【００１２】
本発明の１つの実施態様は、基本的なユーザが作動可能なワイヤレス遠隔制御ユニットを含む。基本的なワイヤレス遠隔制御ユニットは上昇／下降タイプの強度制御及び単一のオン／オフ制御装置を有する。基本的なワイヤレス遠隔制御ユニットは１以上の受信機ユニットに制御信号を送り、この受信機ユニットは１以上の領域において１以上の光源を制御する。各受信機ユニットは１以上の光源を制御する領域を定める。基本的なワイヤレス遠隔制御ユニットは、１以上の受信機ユニットを１つのグループとして制御することができる。これは、基本的な遠隔ユニットが同時に接続された電灯を制御するようすべての受信機ユニットに命令することを意味する。基本的なワイヤレス遠隔制御ユニットの独特の特徴は、受信機ユニットの模擬制御である。従って、基本的なワイヤレス遠隔制御装置上での制御操作は、受信機ユニット上での対応する制御操作と同様の効果を有する。
【００１３】
本発明の他の実施態様は、１以上のシーン選択スイッチを有する改良されたワイヤレス遠隔制御ユニットを有する。基本的なワイヤレス遠隔制御ユニットの特徴を有することに加えて、改良された遠隔制御ユニットは、シーン制御信号を１以上の受信機ユニットに送り、それらを１つのグループとして制御することができる。更に、改良されたワイヤレス遠隔制御ユニットは、各照明シーンに関連する照明レベルをプログラムすることができ、その結果、所望のプリセット光度レベルが確立され、受信機ユニット内のメモリに格納され得る。
【００１４】
本発明の他の実施態様は、アドレス選択スイッチに加えて前の実施態様のすべての特徴を有する第２の基本的なワイヤレス遠隔制御ユニット、又は第２の改良されたワイヤレス遠隔制御ユニットを含む。アドレス選択スイッチは、個々にまたは１つのグループとして選択されたアドレスが割り当てられた１以上の受信機ユニットのアドレスを指定し、そのユニットに制御信号を送るのに使用される。受信機ユニットを制御することに加えて、受信機ユニットのアドレスが指定されると、アドレスを個々の受信機ユニットに割り当てるために第２の改良された遠隔制御ユニットを使用することができる。
【００１５】
本発明のすべての実施態様において、プログラムモードは受信機ユニットに内蔵され、これは改良されたワイヤレス遠隔制御ユニットによって遠隔的にプログラムすることができる。プログラムモードにおいて、ユーザは、受信機ユニットによって制御される光について１以上の所望のプリセット光度レベルを選択し格納することができる。
【００１６】
本発明のすべての実施態様において、プリセット光度レベルは、オン／オフスイッチの３回の作動（アクチュエーション）によって、受信機ユニットに格納することができる（プリセットのロック）。プリセットレベルが格納されロックされると、受信機ユニットは、直接または遠隔的に命令が与えられたときに、ロックされたプリセットレベルにいつでも戻る。また、格納されたプリセットレベルはオン／オフスイッチの４回の作動によって消去することができる（プリセットのロック解除）。格納されたプリセットレベルがオフ命令の前にロックされない場合、受信機ユニットは、受信機ユニットが再びオンされると、それが最後のオフ命令の直前に設定された光度レベルに戻る。
【００１７】
本発明の好ましい実施態様において、基本的なワイヤレス遠隔制御ユニット及び改良されたワイヤレス遠隔制御ユニットは、制御信号を受信機ユニットに送信する手段として従来の赤外線（ＩＲ）信号エンコーディング（符号化）を使用する。エンコードされた制御信号は、シーン選択、光度の増大、光度の減少、照明のオン、照明のオフ、照明の最大化、遅延後の照明のオフ、プログラムモードへ入る、プリセットレベルの設定、アドレスの設定のような事項を命令するためのものである。しかしながら、他のエンコードされた信号を使用することができることも理解できるであろう。更に、高周波（ＲＦ）及び光波信号等の、その他の送受信手段を使用することができる。
【００１８】
本発明の好ましい実施態様において、ワイヤレス遠隔制御ユニット及び受信機ユニットは、少なくとも一個のシーン制御またはオン／オフ制御、及び少なくとも一個の上昇／下降強度制御を有する。強度制御は、最小限の強度レベルと最大限の強度レベルとの間で所望の強度レベルをユーザが選択できるようにする。シーン制御は、照明シーンを画定する１以上の領域において１以上の光源についてプリセット光度レベルをユーザが選択できるようにする。オン／オフ制御は、ユーザが光度をフェードオンまたはフェードオフすることができるようにする。
【００１９】
更に、オン／オフ制御はユーザが追加の特徴を始動できるようにする。これらの追加的な特徴は、オフに可変遅延、及びフル（完全）にフェードを含むが、これらには制限されず、これは後で詳細に説明する。
【００２０】
“オフにフェード”応答は、１回の作動例えばスイッチを１回開放又は閉鎖するのに十分な圧力を一時的に加えることによって行われ、これにより、任意の光度レベルからオフ状態に第１のフェード速度で少なくとも一個の受信機ユニットに関連するすべての照明をフェードさせる。
【００２１】
“プリセットにフェード”応答は、１回の作動によって行われ、これにより、オフ状態または任意の光度レベルから予めプログラムされたプリセット光度レベルまで第１のフェード速度で照明をフェードさせる。
【００２２】
“オフに遅延”応答は、１回の押圧及び保持作動、すなわち、スイッチを開放又は閉鎖するために十分な圧力を一時的に加えるのよりも長い作動によって行われ、これにより、可変遅延の後、任意の光度レベルからオフ状態に第１のフェード速度で照明をフェードさせる。可変遅延はユーザの入力の関数であり、（保持時間−０．５）×２０秒に等しい。
【００２３】
“フルにフェード”は、２回の作動、すなわち、すばやく連続して加えられる、スイッチを開放又は閉鎖するために十分な一時的な圧力を２回加えることによって行われ、これにより、オフ状態または任意の光度レベルから最大限の光度レベルまで第２のフェード速度で照明をフェードさせる。
【００２４】
本発明の１つの実施態様において、光度選択アクチュエータは第１、第２及び第３の位置の間で作動可能なロッカースイッチを有する。第１の位置は光度レベルの増大に対応し、第２の位置は光度レベルの減少に対応する。第３の位置はニュートラル位置である。
【００２５】
他の実施態様において、光度選択アクチュエータは各々が第１及び第２の位置の間で作動可能な第１及び第２のスイッチを有する。第１のスイッチの作動によって、所望の光度レベルの増大が生じ、第２のスイッチの作動によって特定のフェード速度で所望の光度レベルの減少が生じる。
【００２６】
受信機ユニットの好ましい実施態様において、最小限の光度レベルから最大限の光度レベルまでの範囲を表すようにある順番で複数の照明された強度指示装置が配置される。上記順番内での各指示装置の位置は、制御される光源の最小及び最大光度レベルに対する光度レベルを表す。この順番は必ずしも直線的である必要はないが、直線的であってもよい。また本発明は、照明がオンのときに、制御される照明のプリセット光度レベルを目に見えるように指示するための第１の照明レベルを有する第１の指示装置を有する。好ましい実施態様は、照明がオフされたときに、制御される照明のプリセット光度レベルを目に見えるように指示するための第２の照明レベルを有する第２の指示装置を有する。第２の照明レベルは、前記照明がオンのときの第１の照明レベルより低い。第２の照明レベルは、暗い環境で前記指示装置を目で容易に知覚するのに十分であることが好ましい。
【００２７】
本発明の他の実施態様において、制御装置は可変ソフトウエアを有するマイクロコントローラを含むことが好ましい。マイクロコントローラは遅延時間を表すデジタルデータをメモリに格納する手段を有することができる。またマイクロコントローラはプリセット強度レベルを表すデジタルデータをメモリに格納する手段を有することができる。更に、制御装置はメモリ内に格納されたフェード速度またはオフへの遅延を変更または変化させる手段を有することができる。またマイクロコントローラは、適当なフェード速度によって照明のフェードを開始する目的で、制御スイッチの作動の一時的な時間と一時的な期間以上の時間とを区別する手段を有する。
【００２８】
本発明の１つの実施態様において、すべてのフェード速度は等しい。他の実施態様において、各フェード速度は異なる。他の実施態様において、第２のフェード速度は第１のフェード速度より実質的に速い。
【００２９】
本発明の他の実施態様において、電力制御ユニットは、ワイヤレス赤外線送信機から送信された情報を含む赤外線信号を受信するための赤外線レンズを含む。
【００３０】
本発明の１つの態様において、レンズは平坦な赤外線受容面、赤外線出力面、及びその間の平坦な赤外線透過（伝達）体部を含む。レンズの出力面は赤外線検出器の入力面に対応する形状を有する。レンズの平坦な透過体部は楕円に実質的に対応する外部側面を有する。この側面は長手方向の軸線の両側に配置され、長手方向の軸線はレンズによって定まる。楕円形の側面はレンズの入力面に入る赤外線を反射する形状である。光は側面から反射し、出力面へと透過体部を介して通過する。出力面は赤外線を赤外線検出器の入力面に向ける。赤外線検出器は実質的にレンズ出力面の後ろに配置されている。
【００３１】
本発明の他の態様において、赤外線レンズは、レンズの出力面が赤外線検出器の入力面に隣接するように可動部材に配置されている。この赤外線検出器はレンズの背後の固定位置に配置されている。可動部材及びレンズは赤外線検出器及びその入力面の固定位置に向かう方向またはそこから離れる方向に移動する。
【００３２】
本発明を説明する目的で、現在好ましい図面の形態を示したが、本発明は正確な構成及び図示した手段には制限されない。
【発明を実施するための最良の形態】
【００３３】
詳細な説明
同様の要素には同様の符号を付して図面を参照する。図１を参照すると、少なくとも一個の電気装置（図示せず）へ送られる電力を制御する、本発明による電力制御装置を具体化する電力制御及び赤外線受信制御ユニット１０が示されている。制御ユニット１０はカバープレート１１と、複数の制御アクチュエータとを有する。この複数の制御アクチュエータは、ユーザが作動可能な電力レベル選択アクチュエータ１２と、以下トグルスイッチアクチュエータ１３と称するユーザが作動可能な制御スイッチアクチュエータ１３と、エアギャップスイッチアクチュエータ１８とを有する。このエアギャップスイッチアクチュエータ１８は制御ユニット１０への電力を除去するためにエアギャップスイッチ（図示せず）を制御する。更に制御ユニット１０は、直線状に配列された複数の個々のＬＥＤ１４の形の電力レベル指示装置を有する。
【００３４】
更に、制御ユニット１０はトグルスイッチアクチュエータ１３の開口部１５に設けた赤外線（ＩＲ）を受けるレンズ７０を有する。レンズ７０は後述する多数のワイヤレス送信機ユニット２０、３０、４０、５０のいずれかによって送信されるＩＲ制御信号を捕捉する。赤外線受容レンズ７０の構造については後でより詳細に説明する。
【００３５】
本発明の１つの態様において、電力制御信号は、図２、３、４、５にそれぞれ示されるような、ユーザが作動可能なワイヤレスハンドヘルド型の基本的な遠隔制御装置２０、又はユーザ作動可能なワイヤレスハンドヘルド型の改良された遠隔制御装置３０、４０、５０によって、制御ユニット１０に送信される。
【００３６】
本発明の他の態様において、制御ユニット１０は１以上の電気装置を制御するための図１０に示すような電力制御及び赤外線受信回路１００を具現化する。制御ユニット１０は少なくとも一個の電気装置に送られる電力を制御するように設計されている。
【００３７】
好ましくは、制御ユニット１０によって制御される電気装置は、図１０に示すような電気ランプ、即ち、電灯１１４である。この制御ユニット１０は、位相制御トライアック回路または他の回路を使用することによって公知の方法で電気ランプ、即ち、電灯１１４へ送られる電力を制御し、従って該電灯１１４の光度を制御する。
【００３８】
しかしながら、電気装置はファン、モータ、リレー等であってもよい。更に制御される電灯１１４のタイプは、白熱灯には制限されず、低電圧白熱灯、蛍光灯または他のタイプの電灯であってもよい。
【００３９】
以下に示す好ましい実施例は、電気装置が単数又は複数の電灯１１４であり、制御ユニット１０がこれらの電灯の強度（光度）を制御する内容で説明する。
【００４０】
電気装置が少なくとも一個の電灯を含むとき、少なくとも一個の電灯が照明領域（以下“領域”）を定める。複数の制御ユニット１０を組み込むことによって、複数の領域をつくり制御することができる。この領域は、電力レベルを制御することによって、従って１以上の領域に関連する電灯の光度を制御することによって、照明シーン(以下“シーン”)を作るのに用いられ、これにより複数のシーンを作る。したがって、複数のシーンは、１以上の電力制御ユニット１０によってつくることができ、制御ユニットまたは遠隔送信機２０、３０、４０、５０によって制御することができる。
【００４１】
以下、この明細書で使用する“作動”または“作動する”は、１以上の極性を有するスイッチを開けること、閉じること、または特定の時間閉止したまま維持することのいずれかを意味する。本発明の好ましい実施例において、スイッチは瞬間接触型スイッチであり、スイッチを開放又は閉鎖するのに十分な圧力をスイッチアクチュエータにかけることによって作動が行われる。しかしながら、他のタイプのスイッチも使用することができる。
【００４２】
電力制御及び受信機ユニット
図１を参照すると、電力レベル選択アクチュエータ１２は、制御ユニット１０によって制御される１以上の電灯の光度の所望のレベルを設定するためにユーザによって作動される。更に選択アクチュエータ１２は、上方電力レベル選択部分１２ａと下方電力レベル選択部分１２ｂとを有し、それぞれ図１０に示す電力レベル選択スイッチ６２ａ、６２ｂを制御する。
【００４３】
上方電力レベル選択部分１２ａは、作動されると、制御ユニット１０により制御される電灯の光度の増大、すなわち、“上昇”が生じさせる。逆に、下方電力レベル選択部分１２ｂは、制御ユニット１０がオン状態で作動されると、制御ユニット１０によって制御される電灯の光度の減少、すなわち、“下降”を起こす。更に、下方電力レベル選択部分１２ｂは、制御ユニット１０がオフ状態であるとき作動されると、オフまでの遅延時間を設定し、格納するのに使用され得る。下方電力レベル選択部分１２ｂの作動が長くなればなる程、設定及び格納される遅延時間も長くなる。
【００４４】
ユーザが作動可能な制御スイッチアクチュエータ１３の作動により、制御ユニット１０を種々の方法で応答させることができる。その応答方法は、制御スイッチ６３を作動させる制御スイッチアクチュエータ１３の作動の正確な性質に依存する。すなわち、一時的な時間で作動させるか、一時的な時間より長い時間で作動させるか、または迅速に連続したいくつかの一時的な時間で作動させるかに依存し、また制御スイッチアクチュエータ１３の作動前の制御ユニット１０の状態にも依存する。
【００４５】
本発明において、作動とは、作動時間が０．５秒未満である場合に一時的な時間を有することである。迅速に連続したアクチュエータの２回の連続作動（ダブルタップ）とは、互いに０．５秒内にある２つの一時的な作動を言う。迅速に連続したアクチュエータの３回の連続作動（トリプルタップ）とは、全部が１．０秒内にある３回の一時的な作動を言う。迅速に連続したアクチュエータの４回の連続作動（クアッドタップ）とは、すべてが１．５秒内にある４つの一時的な作動を言う。
【００４６】
これらの時間は、今のところ２回、３回または４回のタップ作動が生じたかどうかを決定するために好ましいが、本発明を逸脱することなく、任意の短時間を使用することができる。例えば、本発明の他の実施例において、ダブルタップ、トリプルタップまたはクアッドタップが生じたかどうかを決定するために１．５秒の時間を使用することができ、これにより、本発明の他の実施例において、２つの連続した一時的な期間の作動が１．５秒内に生じた場合に、ダブルタップと認められるようにすることができる。一時的な時間を有する複数の連続作動を探す時間は短時間と考慮される。
【００４７】
０．５秒以上のアクチュエータの作動を有することが可能であり、これは、性質において延長されるものと考えられ、延長された期間を有する。
【００４８】
制御スイッチアクチュエータ１３の作動に対する応答は、光度をゼロからプリセットレベルに増大させること(“プリセットにフェード”)、光度を最大限にまで増大させること（“フルにフェード”）、光度ゼロまで低減させること(“オフにフェード”)、遅延後に光度をゼロに減少させること(“オフに遅延する”)、メモリ内にプリセット光度レベルを格納すること(“ロックされたプリセット”)、及びメモリからプリセット光度レベルを除去すること（“ロックされたプリセットの中断”)である。これらの特徴は、制御ユニット１０に関連し、図１０に示すブロック図の１００に示され、図１３ないし図２０に示されるフローチャートに詳細に説明される回路装置によって実行される。
【００４９】
“プリセットにフェード”応答は、制御ユニット１０がオフ状態のとき、ユーザが作動可能な制御スイッチアクチュエータ１３の一時的な期間の１回の作動によって行われ、それによって、電灯１１４の光度をゼロからプリセット光度レベルに第１のフェード速度で増大させる。これは、後で更に詳細に説明するように、ロックされたプリセットレベルか、又は制御ユニット１０が最後にオン状態であったときに電灯が照明されていたレベルであってよい。
【００５０】
“フルにフェード”応答は、２回の作動、すなわち、ユーザが作動可能な制御スイッチアクチュエータ１３の迅速に連続した２回の一時的な期間の作動（ダブルタップ）によって行われ、それによって、電灯１１４の光度を第２のフェード速度でオフ状態または任意の光度レベルから最大限の光度レベルまで増大させる。
【００５１】
“オフにフェード”応答は、ユーザが作動可能な制御スイッチアクチュエータ１３の一時的な期間の１回の作動によって行われ、それによって、第３のフェード速度で任意の光度レベルからオフ状態に、制御ユニット１０に関連した電灯１１４の光度を減少させる。
【００５２】
“オフに遅延”応答は、“延長作動”、すなわち、ユーザが作動可能な制御スイッチアクチュエータ１３の一時的な作動以上の作動によって実行され、それによって、電灯１１４の光度を遅延時間後に任意の光度レベルからオフ状態に第３のフェード速度で減少させる。遅延時間の期間、すなわち、遅延時間が始めから最後までどれくらいつづくかは、制御スイッチアクチュエータ１３が作動される時間の長さに依存する。好ましい実施例において、遅延時間は制御スイッチアクチュエータ１３が作動される時間の長さに正比例する。
【００５３】
０．５秒未満の作動が一時的なまたは短い時間であると考慮される。０．５秒以上の作動は、制御スイッチアクチュエータ１３が作動される追加の０．５秒ごとに１０秒の遅延時間の増大を生じさせる。従って、制御スイッチアクチュエータ１３が２秒にわたって保持される場合、遅延時間は３０秒である。
【００５４】
可変のオフにフェードは、制御スイッチアクチュエータ１３の“延長作動”によって行われ、電灯１１４の光度を可変のフェード速度で任意の光度からオフに減少させる。可変フェード速度は作動の期間に依存する。ユニットが制御スイッチアクチュエータ１３の延長作動での可変遅延または可変のオフにフェードを有するかどうかは、図１０に示すマイクロプロセッサ１０８のプログラミングに依存する。
【００５５】
“ロックされたプリセット”応答は、トリプル作動、すなわち、ユーザが作動可能な制御スイッチアクチュエータ１３の迅速に連続した一時的な時間の３回の作動（トリプルタップ）によって行われる。電灯１１４の光度は変化しないが、光度レベルはロックされたプリセットレベルとしてメモリに格納され、電灯の光度レベルへのその後の変化はロックされたプリセットレベルには影響しない。
【００５６】
“ロックされたプリセットの中断”応答は、クアッド作動、すなわち、ユーザが作動可能な制御スイッチアクチュエータ１３の迅速に連続した一時的な期間の４回の作動（４つのタップ）によって行われる。電灯１１４の光度は変化しないが、ロックされたプリセットレベルとしてメモリに格納されていた光度レベルは消去される。
【００５７】
ロックされたプリセットレベルがメモリ内に格納され、制御ユニット１０がオフ状態にある場合、“プリセットにフェード”応答は、電灯１１４の光度をロックされたプリセットレベルまで増大させる。ロックされたプリセットレベルがメモリ内に格納されず、制御ユニット１０がオフ状態にある場合、“プリセットにフェード”応答は、電灯１１４の光度を、制御ユニット１０が最後にＯＮ状態であったときに電灯１１４が照明していたレベルまで増大する。
【００５８】
制御スイッチアクチュエータ１３の複数回の作動に関連して、ロックされたプリセットレベルを格納または消去する方法を説明したが、これは、ロックされたプリセットレベルを格納するためのスイッチとロックされたプリセットレベルを消去するためのスイッチとの２個の追加の個別のスイッチを用いることによっても達成でき、またその連続的な作動がロックされたプリセット電力レベルを交互に格納及び消去する一個の追加のスイッチを使用することによっても達成することができる。
【００５９】
上述のように制御ユニット１０がオフ状態にあるときに下方電力レベル選択部分１２ｂを作動させることによって遅延時間が格納された場合、制御ユニット１０がオン状態にあるときにユーザが作動可能な制御スイッチアクチュエータ１３の一時的な期間の１回の作動によって行われる“オフにフェード”応答は、照明を格納された遅延時間はその現在の光度に維持し、その後照明を第３のフェード速度でオフ状態に減少させる。
【００６０】
図２１は、制御ユニット１０の２０秒間オフに遅延のオフに遅延のプロフィールを示す。このプロフィールは、４つの異なる始めの光度レベルにおいて、現在の光度レベルから始まって電灯１１４の光度レベルがどのように変化するかを示す。この場合、電灯１１４は、電灯の光度がゼロへと減少する前に２０秒間の遅延時間の間現在の光度レベルのままである。オフまでの遅延時間は可変であり、好ましい実施例は、１０秒間の歩進で１０ないし６０秒の可変のオフまでの遅延時間の範囲を有する。これらの遅延時間は現在好ましいものであるが、オフまでの遅延時間及び遅延時間の終了時のオフまでの関連するフェード速度で本発明で使用できるものは唯一ではなく、本発明から離れることなく、所望の遅延、フェード速度またはその組み合わせを使用できる。
【００６１】
制御ユニット１０は遅延時間の間現在の光度レベル６００のままである。遅延時間の終了時、電灯１１４の光度はゼロへと減少する。ゼロに減少するためのフェード速度６０２は毎秒３３％が適している。好ましくは、遅延時間及びフェード速度は、マイクロプロセッサ１０８にデジタルデータの形で格納され、メモリに格納されたオフへの遅延ルーチンによって必要とされたときに、メモリから呼び出されることができる。
【００６２】
図２１に示す２０秒遅延の場合のオフに遅延プロフィール及び他の可能なオフへの遅延時間の場合の同様なプロフィールは、制御ユニット１０が、制御スイッチアクチュエータ１３の延長作動に応答して“オフに遅延”を実行するか、または制御スイッチアクチュエータ１３の一時的な作動に応答して前に格納された遅延時間によってオフに遅延するかに拘わらず使用される。
【００６３】
制御ユニット１０及びカバープレート１１は特定の形には制限されず、照明制御装置の設置に通常使用される従来の壁ボックスに取り付けられるタイプが好ましい。
【００６４】
選択アクチュエータ１２及び制御スイッチアクチュエータ１３は特定の形態には制限されず、ユーザによって作動させることができる任意の適当な設計であってよい。好ましくは、必ずしもそうでなくともよいが、アクチュエータ１２は２つの分離した一時的接触プッシュスイッチ６２ａ、６２ｂを制御するが、例えば、本発明から離れることなく、ロッカースイッチを制御するようにすることもできる。アクチュエータ１２の上方部分１２ａの作動は光度レベルを増大させ、すなわち、上昇させ、アクチュエータ１２の下方部分１２ｂの作動は光度レベルを減少させ、すなわち、降下させる。好ましくは、必ずしもそうでなくともよいが、アクチュエータ１３は、プッシュボタン一時的接触タイプのスイッチ５３を制御するが、スイッチ５３は、本発明の範囲から逸脱せずに、他の適当なタイプであってもよい。
【００６５】
同様に、制御スイッチアクチュエータ１３を作動させる効果は、特定の効果を有する制御スイッチの特定の作動シーケンスに関して上述したが、すなわち、“フルにフェード”応答は、２回のタップによって行われ、“ロックされたプリセット”は、３回のタップによって行われるものとして上述したが、特定の作動シーケンスと特定の効果との関係は、本発明の範囲から逸脱せずに変化させることができる。例えば、本発明の他の実施例は、“フルにフェード”を３回のタップによって行うことができる。
【００６６】
制御ユニット１０は複数の光度レベルの指示装置１４の形の光度レベルの指示を有する。この指示装置は、発光ダイオード（ＬＥＤ）などが好ましいが、必ずしもそれでなくともよい。光度レベル指示装置１４は便宜上しばしばＬＥＤと言及するが、かかる言及は発明の説明を容易にするためのものであり、特定の指示装置によって本発明を限定する意図はない。光度レベル指示装置１４は、この実施例において、制御ユニット１０によって制御される１以上の電灯の光度の範囲を表すように直線的な配列に配置される。光度の範囲は最小限の光度レベル（ゼロまたは“オフ”）から、最大限の光度レベル（“フルオン”）までである。制御される照明の光度は、電灯がオンのとき１つの光度レベル指示装置１４の好ましくは１００％出力で視覚表示される。
【００６７】
図１に示した好ましい実施例の光度レベル指示装置１４は直線的な配列において垂直方向に配列された７つの指示装置を示している。配列の最上端の指示装置を照明することによって、最大限の光度レベルが指示される。中央の指示装置を照明することによって、光度レベルが範囲のほぼ中間点であることが示され、配列の最下端の指示装置を照明することによって、最小限の光度レベルが指示される。
【００６８】
任意の適宜な数の光度レベル指示装置１４を使用することができる。配列の指示装置の数を増大することによって、更に細かい、範囲内の光度レベル間のグラデーションを達成することができる。更に、制御されている単数又は複数の電灯がオフである場合、光度レベル指示装置１４の全ては、好ましくは、ユーザに都合のよいように、最大限の出力の０．５％の低レベル照明で常に照明することができる。電灯がオン状態に戻ったときの電灯の実際の光度レベルを示す指示装置は、最大限の出力の好ましくは２％の、わずかに高い照明レベルで照明される。これらの照明特性は、光度レベル指示装置１４を暗い環境で更に容易に目で知覚することができるようにし、暗い部屋でスイッチを探す際にユーザを補助し、“夜間照明モ−ド”を構成する。本発明の重要な特徴は、部屋の照明を制御することに加えて、実際の光度レベルをユーザが一目で見ることができるようにレベル指示装置間に十分なコントラストを提供することである。
【００６９】
また光度レベル指示装置１４は、制御ユニット１０が制御スイッチアクチュエータ１３及び選択スイッチアクチュエータ１２の種々の作動にどのように応答するかに関して制御ユニット１０のユーザにフィードバックするために使用される。
【００７０】
例えば、制御ユニット１０がオフ状態であるとき、“プリセットにフェード”応答が制御スイッチアクチュエータ１３の一時的な期間の１回の作動によって行われると、光度レベル指示装置１４は“夜間照明モード”から変化し、最下方の指示装置を照明した後に、プリセット光度レベルの光度を指示する指示装置が照明されるまで、光度が増加するにつれて、連続的により上方の指示装置を次々に照明する。
【００７１】
更に、“フルにフェード”応答が、制御スイッチアクチュエータ１３の２回のタップによって行われると、光度レベル指示装置は、それらの元の状態から変化し、光度がフルに増大するにつれて、配列内の最上端の指示装置が照明されるまで、連続的により上方の指示装置を次々に照明する。
【００７２】
更に、制御ユニット１０がオン状態のとき、制御スイッチアクチュエータ１３の一時的な期間の１回の作動により、“オフにフェード”応答が行われると、光度レベル指示装置１４は、光度が最低レベルに減少するにつれて、それらの元の状態から変化し、連続的により下部の指示装置を次々に照明する。最後に、光度レベル指示装置１４は、光度がゼロまで減少すると、“夜間照明モード”を指示する。
【００７３】
更に、“オフに遅延”応答が、制御ユニット１０がオン状態にあるとき、制御スイッチアクチュエータ１３の延長作動によって行われると、まず光度レベル指示装置１４は選択された遅延時間の長さを指示する。制御スイッチアクチュエータ１３が０．５秒の間閉止されて保持された後、最下端の指示装置が１０秒の遅延が選択されたことを示すためにオンオフを繰り返し、更に０．５秒後に、次の最も上方の指示装置がオンオフを繰り返し、２０秒の遅延が選択されたことを指示する。このようなことが遅延時間に応じて行われ、制御スイッチアクチュエータ１３が解除されるまで連続的により上方の指示装置が次々にオンオフを繰り返す。
【００７４】
制御スイッチアクチュエータ１３が解除されると、現在の光度レベルを示す指示装置が遅延時間の間オンオフを繰り返す。遅延時間の終了時、現在のレベルを示す指示装置が照明され、照明が最低レベルまで減少するにつれて連続的により下方の指示装置が次々に照明される。最後に、光度がゼロまで減少すると、光度レベル指示装置１４は“夜間照明モード”を指示する。
【００７５】
“ロックされたプリセット”応答が制御スイッチアクチュエータ１３の３回の作動によって行われると、電灯の現在の光度レベルを表す光度レベル指示装置は、２Ｈｚの周波数で２回点滅し、光度レベルを成功裏に格納したことを指示する。
【００７６】
“ロックされたプリセットの中断“応答が制御スイッチアクチュエータ１３の４回の作動によって行われると、電灯の現在の光度レベルを示す光度レベル指示装置は、２Ｈｚの周波数で２回点滅し、光度レベルをメモリから消去したことを指示する。
【００７７】
“上昇”の応答が、選択アクチュエータ１２の上方部分１２ａの作動によって行われると、光度レベル指示装置１４は、それらの元の状態から変化し、作動が終了するか、光度レベルが最大限に達したときに配列内の最上端の指示装置１４が照明されるまで、作動が継続するにつれて、連続的により上方の指示装置を次々に照明する。
【００７８】
制御ユニット１０がオン状態にある間に選択アクチュエータ１２の下方部分１２ｂの作動によって“下降”応答が行われると、光度レベル指示装置１４は、それらの元の状態から変化し、作動が終了するか、光度レベルが最小限に達したときに配列内の最下端の指示装置１４が照明されるまで、作動が継続するにつれて、連続的により下方の指示装置を次々に照明する。制御ユニット１０はオフされない。
【００７９】
最後に、制御ユニット１０がオフ状態のときに選択アクチュエータ１２の下方部分１２ｂが作動されると、光度レベル指示装置１４は最初に“夜間照明モード”を指示する。下方部分１２ｂが４．０秒にわたって作動された後、最下端の指示装置がオンオフを繰り返して、１０秒の遅延が選択されたことを指示する。更に０．５秒後、次の最も上方の指示装置がオンオフを繰り返して、２０秒の遅延が選択されたことを指示し、下方部分１２ｂが解除されるまで連続的により上方の指示装置が次々にオンオフを繰り返す。下方部分１２ｂが解除されると、選択された遅延時間を指示する指示装置は、２Ｈｚの周波数で２回ほど点滅し、遅延時間が成功裏に格納されたことを指示し、その後光度レベル指示装置１４は“夜間照明モード”に戻る。
【００８０】
ワイヤレス送信機ユニット
制御ユニット１０とともに使用するのに適した基本的な赤外線信号送信ワイヤレス遠隔制御ユニット２０の１つの実施例が、図２、２Ａ、２Ｂ及び２Ｃに示されている。
【００８１】
基本的なワイヤレス制御ユニット２０は、ユーザが作動可能な送信機電力レベル選択アクチュエータ２３及び関連する光度選択スイッチ２２３と、ユーザが作動可能な送信機制御スイッチアクチュエータ２１及び関連する送信機制御スイッチ２２１と、を含む、複数の制御アクチュエータを有する。送信機選択アクチュエータ２３は、更に、増大電力レベル選択部分２３ａと減少電力レベル選択部分２３ｂとを有し、それぞれ光度選択スイッチ２２３ａ、２２３ｂを制御する。
【００８２】
更に、基本的なワイヤレス制御ユニット２０は、図２Ｃに最もよく示されるように、基本的なワイヤレス制御ユニット２０の端部２４の開口部２５に配置された赤外線送信ダイオード２６を有する。別の例として、基本的なワイヤレス制御ユニット２０は更に、アドレススイッチ２２２及びアドレススイッチアクチュエータ２２を有することができ、これは、後で更に詳細に説明するように“アドレス送信”スイッチ（図示せず）と関連して使用され得る。スイッチ２２１、２２２、２２３ａ、２２３ｂは図１１に示されている。
【００８３】
基本的なワイヤレス遠隔制御ユニット２０の増大電力レベル選択部分２３ａ、下降電力レベル選択部分２３ｂまたは送信機制御スイッチアクチュエータ２１の作動は、制御ユニット１０の上方電力レベル選択部分１２ａ、下方電力レベル選択部分１２ｂまたは制御スイッチアクチュエータ１３を作動させるのと同じ効果を有する。
【００８４】
基本的なワイヤレス遠隔制御ユニット２０のアクチュエータ２３ａ、２３ｂ、２１の作動は、各アクチュエータが作動させる各スイッチ２２３ａ、２２３ｂ、２２１を閉止させる。スイッチの閉止はマイクロプロセッサ２７によって検出され、アクチュエータが作動されたという情報は、図６及び図１１の説明に関連して後で更に詳細に説明するように、赤外線送信ダイオード２６からの赤外線信号を介して伝達される。
【００８５】
赤外線信号は赤外線受信機１０４によって検出され、信号情報は、図１０及び図１３ないし図２０の説明と関連して後で更に詳細に説明するように、信号情報を解読するマイクロプロセッサ１０８に送られる。
【００８６】
通常、基本的なワイヤレス遠隔制御ユニット２０のアクチュエータを作動させることは、制御ユニット１０上の対応するアクチュエータを作動させるのと同じ効果を有する。よって、一時的な期間にわたり送信機制御スイッチアクチュエータ２１を作動させることは、一時的な期間にわたり制御ユニット１０の制御スイッチアクチュエータ１３を作動させることと同じ効果を有する。（上述したように、正確な効果は作動の前の制御ユニット１０の状態に非常に依存する）。しかしながら、所望ならば、ある機能は制御ユニット１０からのみアクセスすることができて、基本的なワイヤレス遠隔制御ユニット２０からはアクセスすることができなくてもよく、またはその逆のことも言える。例えば、送信機制御スイッチアクチュエータ２１の３回のタップは、制御ユニット１０に効果をもたらさず、これに対し、制御スイッチアクチュエータ１３の３回のタップは上述した効果を有するようにすることができる。
【００８７】
制御ユニット１０とともに使用することに適した改良された赤外線信号送信ワイヤレス遠隔制御ユニット３０の一実施例が、図３、図３Ａ及び図３Ｂに示されている。改良されたワイヤレス制御ユニット３０は、ユーザが作動可能な送信機電力レベル選択アクチュエータ３３及び関連する光度選択スイッチ３３３と、ユーザが作動可能な送信機シーン制御アクチュエータ３１及び関連するスイッチ３３１と、を含む、複数の制御アクチュエータを有する。更に送信機選択アクチュエータ３３は、増大電力レベル選択部分３３ａと減少電力レベル選択部分３３ｂとを有し、それぞれ光度選択スイッチ３３３ａ、３３３ｂを制御する。更にシーン制御アクチュエータ３１は、シーン選択アクチュエータ３１ａとオフアクチュエータ３１ｂとを有し、それぞれシーン制御スイッチ３３１ａ、３３１ｂを制御する。
【００８８】
更に、改良されたワイヤレス制御ユニット３０は、図２Ｂに最もよく示されるように、改良されたワイヤレス制御ユニット３０の端部３４の開口部３５に配置された赤外線送信ダイオード３６を有する。別の例として、改良されたワイヤレス制御ユニット３０は更に、アドレススイッチ３３２と、アドレススイッチアクチュエータ（図示しないが、基本的なワイヤレス制御ユニット２０とともに使用されるアドレススイッチアクチュエータ２２と同じ）とを有し得る。スイッチ３３１ａ、３３１ｂ、３３２、３３３ａ、３３３ｂは図１２Ａに示されている。
【００８９】
改良されたワイヤレス制御ユニット３０の増大電力レベル選択部分３３ａまたは下降電力レベル選択部分３３ｂの作動は、それぞれ制御ユニット１０の上方電力レベル選択部分１２ａまたは下方電力レベル選択部分１２ｂを作動させるのと同じ効果を有する。
【００９０】
一時的な時間にわたるシーン選択アクチュエータ３１ａの作動は、電灯１１４の光度を、その現在の光度レベル（オフであってよい）から第１の予めプログラムされたプリセット光度レベルまで第１のフェード速度で変化させる。
【００９１】
迅速に連続した２つの一時的な時間にわたるシーン選択アクチュエータ３１ａの作動は、電灯１１４の光度を、その現在の光度レベル（オフであってよい）から第２の予めプログラムされたプリセット光度レベルまで第１のフェード速度で変化させる。
【００９２】
プリセット光度レベルを予めプログラミングする方法は後で詳細に説明する。
【００９３】
オフアクチュエータ３１ｂの作動は、制御ユニット１０がオン状態にあり、制御下でゼロでない電力レベルを電灯に送っている時、制御ユニット１０の制御スイッチアクチュエータ１３を作動させるのと同じ効果を有し、制御ユニット１０がオフ状態にあり、ゼロの電力を電灯に送っている時は効果をもたない。従って、オフアクチュエータ３１ｂを作動させることによって、制御ユニット１０からのオフにフェード応答またはオフに遅延応答をもたらすことが可能である。
【００９４】
改良されたワイヤレス遠隔制御ユニット３０で作動するアクチュエータ３３ａ、３３ｂ、３１ａ、３１ｂの作動は、各スイッチ３３３ａ、３３３ｂ、３３１ａ、３３１ｂを閉止させる。このスイッチの閉止はマイクロプロセッサ４７によって検出される。アクチュエータが作動されたという情報は、図６及び図１２Ａの説明に関連して後で更に詳細に説明するように、赤外線送信ダイオード３６からの赤外線信号を介して送信される。
【００９５】
赤外線信号は赤外線受信機１０４によって検出され、信号情報は、図１０及び図１３ないし図２０の説明に関連して後で更に詳細に説明するように、信号情報を解読するマイクロプロセッサ１０８に送られる。
【００９６】
制御ユニット１０とともに使用するのに適した改良された赤外線送信ワイヤレス遠隔制御ユニット４０の第２の実施例が、図４及び図４Ａに示されている。改良されたワイヤレス制御ユニット４０は、ユーザが作動可能な送信機電力レベル選択アクチュエータ４３及び関連する光度選択スイッチ４４３と、ユーザが作動可能な送信機シーン制御アクチュエータ４１及び関連するスイッチ４４１と、を含む、複数の制御アクチュエータを有する。送信機選択アクチュエータ４３はパドルアクチュエータであり、このパドルアクチュエータは、増大光度選択スイッチ４４３ａを作動させよう上方に移動し、減少光度選択スイッチ４４３ｂを作動させるよう下方に移動する。シーン制御アクチュエータ４１は、各シーン制御スイッチ４４１ａ、４４１ｂ、４４１ｃ、４４１ｄ、４４１ｅを制御する、シーン選択アクチュエータ４１ａ、４１ｂ、４１ｃ、４１ｄと、オフアクチュエータ４１ｅとを有する。
【００９７】
更に、改良されたワイヤレス制御ユニット４０は、図４Ａに最もよく示されるように、改良されたワイヤレス制御ユニット４０の端部４４の開口部４５に配置された赤外線送信ダイオード４６を有する。別の例として、改良されたワイヤレス制御ユニット４０は更に、アドレススイッチ４４２と、アドレススイッチアクチュエータ（図示はしないが、基本的なワイヤレス制御ユニット２０とともに使用するアドレススイッチアクチュエータ２２と同様である）とを有し得る。スイッチ４４１ａ、４４１ｂ、４４１ｃ、４４１ｄ、４４１ｅ、４４２、４４３ａ、４４３ｂは図１２Ｂに示される。
【００９８】
送信機選択アクチュエータを上方に移動させることによる増大光度スイッチ４４３ａの作動は、制御ユニット１０の上方電力レベル選択部分１２ａを作動させるのと概ね同じ効果を有する。同様に、送信機選択アクチュエータを下方に移動させることによる減少光度スイッチ４４３ｂの作動は、制御ユニット１０の下方電力レベル選択部分１２ａを作動させるのと概ね同じ効果を有する。
【００９９】
一時的な時間にわたるシーン選択アクチュエータ４１ａ、４１ｂ、４１ｃ、４１ｄの各々の作動は、電灯１１４の光度を、その現在の光度レベル（オフであってよい）から第１、第２、第３及び第４の予めプログラムされたプリセットレベルまで第１のフェード速度でそれぞれ変化させる。
【０１００】
迅速に連続した２つの一時的な時間にわたるシーン選択アクチュエータ４１ａ、４１ｂ、４１ｃ、４１ｄの各々の作動は、電灯１１４の光度を、その現在の光度レベル（オフであってよい）から第５、第６、第７及び第８の予めプログラムされたプリセットレベルまで第１のフェード速度でそれぞれ変化させる。
【０１０１】
プリセット光度レベルを予めプログラムする方法は後で詳細に説明する。
【０１０２】
オフアクチュエータ４１ｅの作動は、制御ユニット１０がオン状態にあり、制御下で電灯へゼロではない電力レベルを供給している時、制御ユニット１０の制御スイッチアクチュエータ１３を作動させるのと同じ効果を有し、制御ユニット１０がオフ状態にあり、電灯にゼロの電力を送っている時は効果をもたない。従って、オフアクチュエータ４１ｅを作動させることによって、制御ユニット１０からのオフにフェードまたはオフに遅延応答をもたらすことが可能である。
【０１０３】
改良されたワイヤレス遠隔制御ユニット３０のアクチュエータ４３、４１ａ、４１ｂ、４１ｃ、４１ｄ、４１ｅの作動は、それらが作動させる各スイッチ４４３ａ、４４３ｂ、４４１ａ、４４１ｂ、４４１ｃ、４４１ｄ、４４１ｅを閉止させる。このスイッチの閉止はマイクロプロセッサ４７によって検出される。アクチュエータが作動されたという情報は、図６及び図１２Ｂの説明に関連して後で更に詳細に説明するように、赤外線送信ダイオード４６から赤外線信号を介して送信される。
【０１０４】
赤外線信号は赤外線受信機１０４によって検出され、信号情報は、図１０及び図１３ないし図２０の説明に関連して後で更に詳細に説明するように、信号情報を解読するマイクロプロセッサ１０８に送られる。
【０１０５】
制御ユニット１０とともに使用するのに適した改良された赤外線送信ワイヤレス遠隔制御ユニット５０の第３の実施例が、図５及び図５Ａに示されている。
【０１０６】
改良されたワイヤレス制御ユニット５０は、ユーザが作動可能な送信機電力レベル選択アクチュエータ５３及び関連する光度選択スイッチ５５３と、ユーザが作動可能な送信機シーン制御アクチュエータ５１及び関連するスイッチ５５１と、を含む、複数の制御アクチュエータを有する。送信機選択アクチュエータ５３はパドルアクチュエータである。このパドルアクチュエータは、増大光度選択スイッチ５５３ａを作動させるよう上方に移動し、減少光度選択スイッチ５５３ｂを作動させるよう下方に移動する。シーン制御アクチュエータ５１は、各シーン制御スイッチ５５１ａ、５５１ｂ、５５１ｃ、５５１ｄ、５５１ｅを制御する、シーン選択アクチュエータ５１ａ、５１ｂ、５１ｃ、５１ｄと、オフアクチュエータ５１ｅとを有する。更に、シーン制御アクチュエータ５１は、各特殊機能制御スイッチ５５１ｆ、５５１ｇ、５５１ｈ、５５１ｉを制御する、特殊機能選択アクチュエータ５１ｆ、５１ｇ、５１ｈ、５１ｉを有する。
【０１０７】
更に、改良されたワイヤレス制御ユニット５０は、図５Ａに最もよく示されるように、改良されたワイヤレス制御ユニット５０の端部５４の開口部５５に配置された赤外線送信ダイオード５６を有する。別の例として、改良されたワイヤレス制御ユニット５０は更に、アドレススイッチ５５２と、アドレススイッチアクチュエータ（図示はしないが、基本的なワイヤレス制御ユニット２０とともに使用するアドレススイッチアクチュエータ２２と同様である）とを有し得る。スイッチ５５１ａ、５５１ｂ、５５１ｃ、５５１ｄ、５５１ｅ、５５１ｆ、５５１ｇ、５５１ｈ、５５１ｉ、５５２、５５３ａ、５５３ｂは図１２Ｃに示されている。
【０１０８】
送信機選択アクチュエータを上方に移動させることによる増大光度スイッチ５５３ａの作動は、制御ユニット１０の上方電力レベル選択部分１２ａを作動させるのと概ね同じ効果を有する。同様に、送信機選択アクチュエータを下方に移動させることによる減少光度選択スイッチ５５３ｂの作動は、制御ユニット１０の下方電力レベル選択部分１２ｂを作動させるのと概ね同じ効果を有する。
【０１０９】
一時的な時間にわたるシーン選択アクチュエータ５１ａ、５１ｂ、５１ｃ、５１ｄの各々の作動は、電灯１１４の光度を、その現在の光度レベル（オフであってよい）から第１、第２、第３及び第４の予めプログラムされたプリセットレベルまで第１のフェード速度でそれぞれ変化させる。
【０１１０】
迅速に連続した２回の一時的な時間にわたるシーン選択アクチュエータ５１ａ、５１ｂ、５１ｃ、５１ｄの各々の作動は、電灯１１４の光度を、その現在の光度レベル（オフであってよい）から第５、第６、第７及び第８の予めプログラムされたプリセット光度レベルまで第１のフェード速度でそれぞれ変化させる。
【０１１１】
改良された送信機の第３の実施例５０は、各特殊機能スイッチ５５１ｆ、５５１ｇ、５５１ｈ、５５１ｉを制御する特殊機能アクチュエータ５１ｆ、５１ｇ、５１ｈ、５１ｉを更に有することにおいて改良された送信機の第２の実施例４０と異なっている。これらの特殊機能アクチュエータは、第９、第１０、第１１及び第１２の予めプログラムされたプリセット光度レベルを選択するために、または特殊機能を選択するために使用することができる。別の例として、いくつかの特殊機能アクチュエータは、予めプログラムされたプリセット光度レベルを選択するために使用し、あるものは特殊機能を選択するために使用することができる。
【０１１２】
プリセット光度レベルを予めプログラムする方法及び特別の機能の性質は後で詳細に説明する。
【０１１３】
オフアクチュエータ５１ｅの作動は、制御ユニット１０がオン状態にあり、制御下でゼロでない電力レベルを電灯に送っている時、制御ユニット１０の制御スイッチアクチュエータ１３を作動させるのと同じ効果を有し、制御ユニット１０がオフ状態にあり、ゼロの電力を電灯に送っている時は効果をもたない。従って、オフアクチュエータ５１ｅを作動させることによって、制御ユニット１０からのオフにフェード応答またはオフに遅延応答をもたらすことが可能である。
【０１１４】
改良されたワイヤレス遠隔制御ユニット３０のアクチュエータ５３、５１ａ、５１ｂ、５１ｃ、５１ｄ、５１ｅ、５１ｆ、５１ｇ、５１ｈ、５１ｉの作動は、それらが作動させる各スイッチ５５３ａ、５５３ｂ、５５１ａ、５５１ｂ、５５１ｃ、５５１ｄ、５５１ｅ、５５１ｆ、５５１ｇ、５５１ｈ、５５１ｉを閉止させる。このスイッチの閉止はマイクロプロセッサ４７によって検出される。アクチュエータが作動されたという情報は、図６及び図１２Ｃの説明に関連して後で更に詳細に説明するように、赤外線送信ダイオード５６からの赤外線信号を介して送信される。
【０１１５】
赤外線信号は赤外線受信機１０４によって検出され、信号情報は、図１０及び図１３ないし図２０の説明に関連して後で更に詳細に説明するように、信号情報を解読するマイクロプロセッサ１０８に送られる。
【０１１６】
改良されたワイヤレス制御ユニット３０、４０、５０からアクセスされるプリセット光度レベルを予めプログラムする方法は、改良された遠隔制御装置の各々で同様である。
【０１１７】
制御ユニット１０のプログラミングモードには次のようにすることによって入る。即ち、改良された遠隔制御装置のアクチュエータの組み合わせを作動させ、アクチュエータによって制御されるスイッチを一定時間の間、好ましくは３秒間にわたって閉止状態に維持すると共に、赤外線信号を送信器から制御ユニット１０に送信することによって、そのときに制御ユニット１０はプログラミングモードに入る。
【０１１８】
図３、図３Ａ及び図３Ｂに示した改良された遠隔制御装置３０の実施例の場合、プログラミングモードにはシーン選択アクチュエータ３１ａ及びオフアクチュエータ３１ｂを同時に作動させることによって入る。図４及び図４Ａに示す実施例４０の場合、プログラミングモードにはシーン選択アクチュエータ４１ａ及びオフアクチュエータ４１ｅを同時に作動させることによって入る。図５及び図５Ａに示す実施例５０の場合、プログラミングモードにはシーン選択アクチュエータ５１ａ及びオフアクチュエータ５１ｅを同時に作動させることによって入る。
【０１１９】
制御ユニット１０はプログラミングモードに入り、第１のプリセット光度レベルをプログラムする準備が整う。最上端の指示装置１４（第１のプリセット光度レベルがプログラムされつつあることを指示する）はほぼ１０％のデューティサイクルで点滅し、第１のプリセット光度レベルとして現在プログラムされている光度レベルに対応する指示装置１４は９０％のデューティサイクルで点滅する。デューティサイクルとは、一方の指示装置１４がオンであることに対して他方の指示装置１４がオンである時間的相対量を言う。指示装置１４に電力を供給する電源内の制限によって指示装置１４は一時に一方のみが照明される。
【０１２０】
格納される光度のレベルは、図３、図３Ａ及び図３Ｂに示す改良された遠隔制御装置３０の実施例の場合、増大電力レベル選択部分３３ａまたは減少電力レベル選択部分３３ｂまたはオフアクチュエータ３１ｂを作動させることによって、また、図４及び図４Ａに示す改良された遠隔制御装置４０の実施例の場合、電力レベル選択アクチュエータ４３を上または下に移動させて増大光度選択スイッチ４４３ａまたは減少光度選択スイッチ４４３ｂを作動させること、またはオフアクチュエータ４１ｅを作動させることによって、また、図５及び図５Ａに示す改良された遠隔制御装置５０の実施例の場合、電力レベル選択アクチュエータ５３を上または下に移動させて増大光度選択スイッチ５５３ａ又は減少光度選択スイッチ５５３ｂを作動させること、またはオフアクチュエータ５１ｅを作動させることによって、調整される。改良された遠隔制御装置３０、４０、５０のすべての実施例において、格納される光度は、制御ユニット１０の上方電力レベル選択部分１２ａ及び下方電力レベル選択部分１２ｂを作動させることによって調整することもできる。
【０１２１】
光度が調整されるにつれて、電灯１１４の光度が変化し、９０％のデューティサイクルで照明される指示装置１４も新しい現在の光度レベルを指示するように変化する。
【０１２２】
第１のプリセット光度レベル（オフであってよい）としてプログラムされるべき所望の光度レベルが達成されると、プログラムされるべき他のプリセット光度レベルを選択するか、またはプログラミングモードを出る。図３、図３Ａ及び図３Ｂに示した改良された遠隔制御装置３０の場合、第１のプリセット光度レベルのみをプログラムすることができるので、この点での選択肢は、プログラミングモードを出ることのみである。
【０１２３】
他のプリセット光度レベルをプログラムすることを望むならば、これは、図４及び図４Ａに示した改良された遠隔制御装置の実施例ではシーン選択アクチュエータ４１ｂ、４１ｃ、４１ｄを一時的な時間にわたり作動させることによって、図５及び図５Ａに示す改良された遠隔制御装置の実施例ではシーン選択アクチュエータ５１ｂ、５１ｃ、５１ｄを一時的な時間にわたり作動させることによって選択される。
【０１２４】
これらのシーン選択アクチュエータは、プログラムされるべき第２、第３及び第４のプリセット光度レベルをそれぞれ選択する。第２のプリセット光度レベルが選択されると、二番目に高い指示装置１４が１０％のデューティサイクルで点滅し、第３のプリセット光度レベルが選択されると、三番目に高い指示装置１４が１０％のデューティサイクルで点滅し、第４のプリセット光度レベルが選択されると、中間の指示装置１４が１０％のディーティサイクルで点滅する。
【０１２５】
シーン選択アクチュエータ４１ａ、４１ｂ、４１ｃ、４１ｄ、５１ａ、５１ｂ、５１ｃ、５１ｄを２回の一時的な時間にわたり作動させることにより、プログラムされるべき第５、第６、第７及び第８のプリセット光度レベルをそれぞれ選択することが可能になる。
【０１２６】
最も高い指示装置１４、二番目に高い指示装置１４、三番目に高い指示装置１４及び中間の指示装置１４は、１０％以外のデューティサイクルで点滅し、プログラムされるべき第５、第６、第７または第８のプリセット光度レベルのいずれかが選択されたことを指示する。
【０１２７】
図５及び図５Ａに示した改良された送信機５０の実施例を使って、特殊機能アクチュエータ５１ｆ、５１ｇ、５１ｈ、５１ｉから第９、第１０、第１１、及び第１２のプリセット光度レベルを選択する場合、これらは、特殊機能アクチュエータ５１ｆ、５１ｇ、５１ｈ、５１ｉを作動させることによってプログラムするために選択することができる。
【０１２８】
最も高い指示装置１４、二番目に高い指示装置１４、三番目に高い指示装置１４及び中間の指示装置１４は、１０％以外の第２のデューティサイクルで点滅し、プログラムされるべき第９、第１０、第１１または第１２のプリセット光度レベルが選択されたことを指示する。
【０１２９】
格納されるべき光度は、第１のプリセット光度レベルのプログラミングについて上述したのと同じ方法で調整される。
【０１３０】
すべての所望のプリセット光度レベルがプログラムされると、プログラミングモードに入るために使用されたアクチュエータの同じ組み合わせを再び一定時間の間、好ましくは３秒間にわたって作動させると共に、送信機から制御ユニット１０に赤外線信号を送信することによって、プログラミングモードを出る。この期間の終了時、制御ユニットはプログラミングモードを出る。或いは、プログラミングモードは、一時的な期間にわたって、制御ユニット１０のアクチュエータ１３を作動させることによって出ることができる。
【０１３１】
改良された送信機５０の特殊機能アクチュエータ５１ｆ、５１ｇ、５１ｈ、５１ｉの作用は、赤外線信号を受ける制御ユニット１０にプログラムされる特定の特殊機能に依存する。
【０１３２】
１つの選択肢は、上述したような追加的なプログラムされた光度レベルを選択するために特殊機能選択アクチュエータを使用することである。第１の特殊機能アクチュエータによって選択することができる第１の特殊機能は、“決定されたフェード時間でオフにフェード”である。この機能は次の点を除いて“オフに遅延”と同様である。すなわち、“オフに遅延”の場合、電灯１１４の光度は遅延時間中は現在の光度のままであり、その後比較的短い時間でゼロに減少するが、“決定されたフェード時間でオフにフェード”の場合、電灯１１４の光度レベルはアクチュエータが解除されると値が減少し始め、その後光度が“決定されたフェード時間”の終了時にゼロに到達するまで値が減少し続ける。
【０１３３】
“決定されたフェード時間”は、第１の特殊機能のアクチュエータが作動された時間の長さによって決定される。アクチュエータが作動される時間が長ければ長いほど、フェード時間が長くなる。
【０１３４】
第１の特殊機能アクチュエータが作動された後、指示装置１４は最下部のＬＥＤを点滅させて、１０秒間のフェード時間が選択されたことを指示する。第１の特殊機能アクチュエータが作動される追加的な各０．５秒に対して、フェード時間は１０秒ごとに最大６０秒まで増加する。連続的により上方の指示装置１４が次々に点滅して、増加したフェード時間が選択されたことを指示する。第１の特殊機能アクチュエータが解除されると、電灯１１４の光度の減少が生じ始め、現在の光度を指示する指示装置１４が点滅する。電灯１１４がゼロ電力になったときに指示装置１４が“夜間照明モード”を指示するまで、電灯１１４の光度が減少するにつれて、連続的により下方の指示装置１４が次々に点滅する。
【０１３５】
第２の特殊機能アクチュエータによって選択することができる第２の特殊機能は“前の光度レベルに戻る”である。この機能により、シーン選択アクチュエータ、制御スイッチアクチュエータ、または電力レベルアクチュエータの最後の作動の前にそれが有していた最後のプリセットレベルまで電灯１１４の光度を戻すことができる。
【０１３６】
このように、制御ユニット１０のユーザは、予めプログラムされたプリセット光度レベル、ロックされたプリセット光度レベルまたはロック解除されたプリセット光度レベルであってよい最後に選択されたプリセットレベルに戻ることが可能である。電灯１１４の光度レベルは、現在の光度レベルから戻ろうとする光度レベルまで次第に増減し、指示装置１４は、最後に選択されたプリセットレベルの光度レベルを指示する指示装置１４が照明されるまで、現在の光度レベルに対応するＬＥＤの照明から変化し、連続的により上方のまたはより下方のＬＥＤを次々に照明する。
【０１３７】
他の特殊機能を制御ユニット１０に任意にプログラムすることができ、また異なる特殊機能アクチュエータを作動させることによってそれを選択することができる。
【０１３８】
別の例として、任意的なアドレススイッチアクチュエータ２２及びアドレススイッチ２２２、３３２、４４２、５５２並びにアドレス送信スイッチ（図示せず）の作用は、基本的なワイヤレス制御ユニット２０及び改良されたワイヤレス制御ユニット３０、４０、５０の３つの実施例で同様である。
【０１３９】
任意的なアドレススイッチアクチュエータ２２及びアドレス送信スイッチの第１の用途は、制御ユニット１０に特定のアドレスをつけることである。アドレススイッチアクチュエータ２２は、通常複数位置のスイッチであるアドレススイッチ２２２、３３２、４４２、５５２を制御し、異なるアドレスＡ、Ｂ、Ｃ、Ｄ等を選択する。特定の制御ユニット１０にアドレスＢをつけたいと望むならば、アドレススイッチアクチュエータはＢを選択するように調整され、次いでアドレス送信スイッチが作動される。アドレス送信スイッチは図示しないが、所望の形を有することができる。好ましくは、アドレス送信スイッチは、小さく目立たないアクチュエータによって作動されるものである。なぜならば、それはときどきしか使われないからである。別の例として、アドレス送信スイッチのアクチュエータは、例えば、通常使用の場合、ワイヤレス制御ユニット２０、３０、４０、５０のバッテリ室カバーの下に隠すことができる。
【０１４０】
或いは、改良されたワイヤレス制御ユニット３０、４０、５０の３つの実施例の場合、アドレス送信スイッチの機能は、既存のアクチュエータ、例えば、オフアクチュエータ３１ｂ、４１ｅ、５１ｅと増大電力レベル選択部分３３ａとを組み合わせて作動させることによって、または送信機選択アクチュエータ４３、５３を上方に移動させることによって得ることができる。
【０１４１】
アドレス送信スイッチが作動されたか、またはアクチュエータの適当な組み合わせが作動された後、ワイヤレス制御ユニット２０、３０、４０、５０から赤外線信号が送られ、これは信号を受信する任意の制御ユニット１０にアドレスＢをそれ自身につけるように命令する。電灯の現在の光度レベルを指示する光度レベル指示装置１４は２Ｈｚの周波数で３度点滅し、アドレスが成功裏に受信されメモリに格納されたことを指示する。
【０１４２】
別の例として、電灯１１４の現在の光度レベルを指示する光度レベル指示装置１４は、アドレスをメモリ内に格納するために制御スイッチアクチュエータ１３が一時的な時間にわたり作動されるまで２Ｈｚの周波数で点滅する。赤外線信号を受信する制御ユニット１０のアクチュエータ１３が２分以内に作動されなかった場合、アドレスは格納されず、制御ユニット１０は赤外線信号を受信する前の状態に戻る。
【０１４３】
このように、同じか又は異なるアドレスを複数の制御ユニット１０につけることが可能である。
【０１４４】
ワイヤレス制御ユニット２０、３０、４０、５０によって制御されることを望むすべての制御ユニット１０にアドレスをつければ、ワイヤレス制御ユニット２０、３０、４０、５０は、次のような方法で、特別のアドレスがつけられた制御ユニット１０のみを制御するように使用することができる。
【０１４５】
アドレススイッチアクチュエータ２２は、制御が望まれる制御ユニット１０のアドレス、例えばＡを選択する位置に調整される。これが行われた後、他のアクチュエータ、例えば、シーン選択アクチュエータ３１、４１、５１または送信機選択アクチュエータ３３、４３、５３の作動に応答してワイヤレス制御ユニット２０、３０、４０、５０から送られるどのような信号にもアドレス情報Ａが含まれる。
【０１４６】
前にアドレスＡのラベルがつけられた制御ユニット１０のみが、アドレス情報Ａを含む赤外線信号に応答する。他の制御ユニット１０は応答しない。このように、複数の制御ユニット１０に異なるアドレスをつけることによって、すべてのユニットが赤外線信号を受信する場合でも、各制御ユニット１０を個々に制御することができる。
【０１４７】
またアドレススイッチアクチュエータ２２はすべてのアドレスを選択することも可能である。これは制御ユニット１０にラベルをつけるためには使用することができない。しかしながら、制御ユニット１０に個々のアドレスＡ、Ｂ、Ｃ等でラベルがつけられると、アドレススイッチアクチュエータ２２ですべてのアドレスを選択することによって、ワイヤレス制御ユニット２０、３０、４０、５０から送信される赤外線信号がすべてのアドレスを含むようにすることができる。この場合、すべてのアドレスを備えた赤外線信号を受信するすべての制御ユニット１０は、それらに付けられている個々のアドレスとは無関係に応答する。
【０１４８】
図１０を参照すると、電力制御ユニット１０の回路が制御ユニットブロック図の１００に示されている。ワイヤレス遠隔制御操作を除いて、この回路は当業者によく知られており、参考としてここに組み込まれている米国特許第５，２４８，９１９号に完全に説明されている。したがって、従来技術の回路の詳細な説明はここでは行われず、本発明の新しい特徴のみ説明する。
【０１４９】
本発明の好ましい実施例は、米国特許第５，２４８，９１９号に開示された照明制御と組み合わせて以下に説明するようなワイヤレス遠隔制御操作の特徴を提供する。本発明の好ましい実施例において、電力制御ユニット１０の回路は、電力制御ユニット１０に配置されたアクチュエータによって命令されることに加えて、ワイヤレス遠隔制御ユニット２０、３０、４０、５０（図２、３、４及び５にそれぞれ示す）によって送信される赤外線制御信号によって命令される。赤外線受信機１０４は赤外線制御信号に応答し、その信号をマイクロプロセッサ１０８への電気制御信号入力に変換する。これは、信号検出器１０２が、電力制御ユニット１０に配置されたスイッチ１１０からの制御信号並びにワイヤー式（有線）遠隔照明制御ユニット内のスイッチ１１１からの制御信号に応答して、米国特許第５，２４８，９１９号に開示された制御信号、信号検出器３２及びマイクロプロセッサ２８と同様の、本発明のマイクロプロセッサ１０８への制御信号入力を提供するのと同様な方法で行われる。しかしながら、プログラムの動作は異なり、米国特許第５，２４８，９１９号には開示されていない追加の機能及び特徴を提供する。
【０１５０】
本発明において、制御信号入力は電力制御ユニット１０のスイッチアクチュエータによって発生され、ユーザが作動可能なワイヤレス遠隔制御ユニット２０、３０、４０、５０のスイッチアクチュエータまたはワイヤー式（有線）照明制御ユニットのスイッチアクチュエータによって発生される。いずれの場合も、これらの信号は処理のためにマイクロプロセッサ１０８に送られる。つぎにマイクロプロセッサ１０８は制御回路の他の部分に適当な信号を送り、これにより制御ユニット１０に関連した電灯１１４の光度レベル及び状態を制御する。
【０１５１】
基本的な遠隔制御ユニット２０の制御回路２００のブロック図は図１１に示されている。光度選択アクチュエータ２３は光度選択スイッチ２２３ａまたは２２３ｂを作動させ、制御スイッチアクチュエータ２１は送信機制御スイッチ２２１を作動させ、入力をマイクロプロセッサ２７に送る。マイクロプロセッサ２７はエンコードされた制御信号をＬＥＤ駆動回路２８に送り、この駆動回路はマイクロプロセッサ２７によってエンコードされた赤外線信号を生成し送信するようにＬＥＤ２６を駆動する。このＬＥＤ２６はユーザが作動可能な基本的な遠隔制御ユニット２０の端壁２４に埋設された、ＩＲ送信機の開口部２５に配置されている。
【０１５２】
アドレススイッチアクチュエータ２２はアドレススイッチ２２２を作動させ、マイクロプロセッサ２７に入力を提供する。“アドレス送信”スイッチは、図１１には図示されてないが、上述したようにマイクロプロセッサ２７に入力を提供する。
【０１５３】
バッテリ４９は基本的な遠隔制御ユニット２０に電力を送る。
【０１５４】
マイクロプロセッサ２７は、その動作を制御する予めプログラムされたソフトウエアルーチンを有する。マイクロプロセッサ２７内のルーチンの動作は図６のフローチャートに示されている。マイクロプロセッサ２７内のプログラムが従う１つの大きなフロー経路、すなわち、ルーチンがある。この経路は決定ステップ（ノード）２０００の“一個又は複数のアクチュエータが作動されたか”が“ｙｅｓ（イエス）”であればいつでも選択される。これは、制御スイッチアクチュエータ２１または電力レベル選択アクチュエータ２３が作動されるときはいつでも生じる。決定ステップの“一個又は複数のアクチュエータが作動されたか”の次に、ステップ２００４の“どのアクチュエータが作動されたかを決定”が続き、ここでどのアクチュエータが作動されたかについての決定が行われる。ステップ２００４の“どのアクチュエータが作動されたかを決定する”の次に、ステップ２００６の“アドレスを決定”が続き、ここでマイクロプロセッサ２７はアドレススイッチ２２２の設定を決定する。つぎにマイクロプロセッサ２７はステップ２００８の“作動されたアクチュエータ及び選択されたアドレスに対応する数をルックアップする”に進む。次いでマイクロプロセッサはステップ２０１０の“数をエンコードする”に進み、ステップ２０１２の“コードを伝達する”に進む。
【０１５５】
制御スイッチアクチュエータ２１または電力レベル選択アクチュエータ２３がユーザによって作動されない場合、遠隔制御ユニット２０はステップ２００２の“スリープモード”に入り、制御ユニット１０の状態には変化は生じない。
【０１５６】
改良されたワイヤレス遠隔制御ユニット３０、４０、５０の制御回路の各々のブロック図は図１２Ａ、１２Ｂ、１２Ｃに示されている。これらのブロック図は図１１に示すブロック図２００と同様であり、ブロック図３００のシーン制御スイッチ３３１ａ、３３１ｂがブロック図２００の送信機制御スイッチ２２１と置換されている。ブロック図４００のシーン制御スイッチ４４１ａ、４４１ｂ、４４１ｃ、４４１ｄ、４４１ｅがブロック図２００の送信機制御スイッチ２２１と置換されている。ブロック図５００のシーン制御スイッチ５５１ａ、５５１ｂ、５５１ｃ、５５１ｄ、５５１ｅ及び特殊機能スイッチ５５１ｆ、５５１ｇ、５５１ｈ、５５１ｉがブロック図２００の送信機制御スイッチ２２１と置換されている。
【０１５７】
シーン制御スイッチは入力をマイクロプロセッサ４７に提供する。マイクロプロセッサ４７はエンコードされた制御信号をＬＥＤ駆動回路４８に提供する。このＬＥＤ駆動回路４８は、マイクロプロセッサ４７によってエンコードされた赤外線信号を発生し送信するようにＬＥＤ３６、４６、５６を駆動する。これらの信号は改良されたワイヤレス遠隔制御ユニット３０、４０、５０の端壁３４、４４、５４に配置されたＩＲ開口部３５、４５、５５を介して送信される。
【０１５８】
改良された遠隔制御ユニット３０、４０、５０のアドレススイッチアクチュエータ２２はアドレススイッチ３３２、４４２、５５２をそれぞれ作動させて、マイクロプロセッサに入力を提供する。図１２Ａ、１２Ｂ及び１２Ｃに示さないアドレス送信スイッチもまたマイクロプロセッサ４７に入力を提供する。
【０１５９】
改良された遠隔制御ユニット３０、４０、５０は、それらの動作を制御するために、図６に示したものと同じ予めプログラムされたソフトウエアルーチンを使用する。実際のコードの動作は異なっていてよい。シーン制御スイッチまたは電力レベル選択スイッチが作動されるときはいつでも、図６の決定ステップ２０００の“一個または複数のアクチュエータが作動されたか”は、“ｙｅｓ”である。
【０１６０】
図１３ないし２０を参照すると、制御ユニット１０のマイクロプロセッサ１０８はその動作を制御する予めプログラムされたソフトウエアルーチンを有する。マイクロプロセッサ１０８のルーチンの動作は図１３ないし図２０のフローチャートに示されている。図１３を参照すると、マイクロプロセッサ１０８が従うことができる４つの主なフロー経路、すなわち、ルーチンがある。これらの経路は入力制御信号源によって選択される。初めの３つの経路、すなわち、ステップ１０３０の“上昇”、ステップ１０２４の“下降”、及びステップ１０３６の“トグル”は、上述したように電力選択アクチュエータ１２または制御スイッチアクチュエータ１３が作動されたときに選択される。
【０１６１】
ワイヤレス遠隔制御による作動についての予めプログラムされたソフトウエアルーチンの機能も詳細に説明する。これはステップ１０１２の第４の経路の“ＩＲ信号”である。
【０１６２】
図１３を参照すると、プログラムは図示するようにステップ１０００の“メイン”で始まる。最初の決定ステップはステップ１００２の“ＩＲプログラムモード中か”である。プログラムは、予めプログラムされた光度を格納することができるように制御ユニット１０がプログラムモードにあるかどうかを決定する。決定ステップ１００２の“ＩＲプログラムモード中か”からの出力が“ｙｅｓ”である場合、次の決定ステップはステップ１００４の“最後の２分間以内にアクチュエータまたはＩＲ信号を受信したか”である。決定ステップ１００４はプログラムモードの間にユーザが迷っているかどうかを決定するタイムアウト機能を実行する。ユーザが２分以内に制御ユニットのアクチュエータに接触しない場合、ユニットはプログラムモードから自動的に出て、点滅している指示装置１４を停止させる。決定ステップ１００４からの出力が“ｎｏ”である場合、制御ユニット１０はステップ１０２６の“プログラムモードを出る”及びステップ１０２８の“ＬＥＤの点滅を停止”の命令を受け、プログラムはステップ１０００の“メイン”に戻る。決定ステップ１００４からの出力が“ｙｅｓ”である場合、プログラムは決定ステップ１００６の“アクチュエータが作動されたか”に進む。アクチュエータが制御ユニット１０で作動されたかどうか、すなわち、電力レベル選択アクチュエータ１２または制御スイッチアクチュエータ１３が作動されたかどうかについてチェックされる。
【０１６３】
決定ステップ１００６の“アクチュエータが作動されたか”の出力が“ｙｅｓ”なら、プログラムは決定ステップ１０１８の“ＩＲプログラムモード中か”へ進み、ここで再び制御ユニット１０がプログラムモードにあるかどうかについてチェックされる。決定ステップ１０１８の“ＩＲプログラムモード中か”の出力が“ｙｅｓ”である場合、プログラムはステップ１０２０の“ＩＲプログラムモードルーチンに行く”に進む。これは、図１４に示すＩＲプログラムモードルーチン１１００に更に詳細に示される。
【０１６４】
決定ステップ１０１８からの出力が“ｎｏ”である場合、プログラムは決定ステップ１０３０の“上昇か”に進み、ここで上方電力レベル選択部分１２ａが作動されたかどうかについてチェックが行われる。決定ステップ“上昇か”からの出力が“ｙｅｓ”である場合、プログラムはステップ１０３２の“上昇ルーチンに行く”に進む。この“上昇”ルーチン１４００は図１６に更に詳細に示されている。
【０１６５】
決定ステップ１０３０の“上昇か”の出力が“ｎｏ”である場合、プログラムはステップ１０２２の“下降か”に進み、ここで下方電力レベル選択部分１２ｂが作動されたかどうかについてチェックが行われる。決定ステップ１０２２の“下降か”からの出力が“ｙｅｓ”である場合、プログラムはステップ１０２４の“下降ルーチンに行く”に進む。この“下降”ルーチン１２００は図１５に更に詳細に示されている。
【０１６６】
決定ステップ１０２２の“下降か”からの出力が“ｎｏ”である場合、プログラムは決定ステップ１０３４の“トグルか”に進み、ここで制御スイッチアクチュエータ１３が作動されたかどうかについてチェックがなされる。決定ステップ１０３４の“トグルか”からの出力が“ｙｅｓ”である場合、プログラムはステップ１０３６の“トグルルーチンに行く”に進む。この“トグル”ルーチン１３００は図１７に更に詳細に示されている。ステップ１０３４の“トグルか”の出力が“ｎｏ”である場合、プログラムはステップ１０００の“メイン”に戻る。
【０１６７】
決定ステップ１００６の“アクチュエータが作動されたか”の出力が“ｎｏ”である場合、プログラムは決定ステップ１００８の“最後の２分間にアクチュエータが作動されたか”に進む。決定ステップ１００８は、制御アクチュエータが最後の２分間に作動されたかどうかを決定するもう一つのタイムアウトチェックを実行する。決定ステップ１００８からの出力が“ｙｅｓ”である場合、プログラムは決定ステップ１０１０の“ＩＲ信号か”に進み、ここでＩＲ信号が受信されたかどうかについて決定がなされる。決定ステップ１０１０の“ＩＲ信号か”の出力が“ｙｅｓ”である場合、プログラムはステップ１０１２の“ＩＲ信号ルーチンに行く”に進む。ステップ１５００の“ＩＲ信号ルーチン”は図１８、１９、２０に更に詳細に示されている。決定ステップ１０１０の“ＩＲ信号か”の出力が“ｎｏ”であれば、プログラムはステップ１０１４の“ＬＥＤを更新”に進み、ここで光度指示装置１４の状態が更新され、プログラムはステップ１０００の“メイン”に戻る。制御ユニット１０は、たとえアクチュエータが作動されなくても、またはＩＲ信号が受信されなくても、ＬＥＤディスプレィを常に更新し続ける。決定ステップ１００８の“最後の２分間にアクチュエータが作動されたか”が“ｎｏ”である場合、プログラムはステップ１０１６の“学習アドレスモードをリセット”に進み、決定ステップ１０１０の“ＩＲ信号か”に進む。
【０１６８】
プログラムが、後で更に詳細に説明するステップ１５９０の“学習アドレスモードか”及びステップ１５８０の“新しいアドレスを格納”に進んだ後、プログラムは確認信号を探す。制御ユニットが２分以内に確認信号を受け取らない場合、“学習アドレスモード”はリセットされ、受信された新しいアドレスが消去される。
【０１６９】
図１４を参照すると、“ＩＲプログラムモード”において最初に出合う決定ステップがステップ１１０２の“トグルか”である。ＩＲプログラムモードは、制御ユニット１０または改良されたワイヤレス送信機３０、４０、５０のアクチュエータを作動させることによって、プリセット光度レベルを制御ユニット１０に格納させることができるモードである。決定ステップ１１０２の“トグルか”において、制御スイッチアクチュエータ１３が作動されたかどうかについて決定がなされる。このステップの出力が“ｙｅｓ”である場合、制御ユニット１０はステップ１１０４の“ＬＥＤの点滅の停止”の命令を受け、ここで点滅している指示装置１４はすべて消される。プログラムはステップ１１０６の“プログラムモードを出る”、及びステップ１１０８の“ＬＥＤを更新”に進み、ここで指示装置１４が正しい状態に更新され、プログラムはステップ１１１０の“メインの最上部に戻る”に進む。これはプログラムモードを出る１つの方法である。他の方法は後で詳細に説明する。
【０１７０】
決定ステップ１１０２の“トグルか”の出力が“ｎｏ”である場合、次の決定ステップ１１１２は“上昇か”であり、ここで、上方電力レベル選択部分１２ａが作動されたかどうかに関して決定がなされる。このステップの出力が“ｙｅｓ”である場合、プログラムは決定ステップ１１１４の“上端か”に移る。決定ステップ１１１４の“上端か”の出力が“ｙｅｓ”である場合、電灯１１４の光度はそれ以上増大できず、何ら変化せず、プログラムはステップ１１１０の“メインの最上部に戻る”に進む。決定ステップ１１１４の“上端か”の出力が“ｎｏ”である場合、制御ユニット１０はステップ１１１６の“１ステップずつ光度レベルを増大”の命令を受け、ここで制御ユニット１０の出力電力が増大される。プログラムはステップ１１１８の“シーンを決定”に続き、ここでプログラムはどのシーンがプログラムされているかをチェックする。
【０１７１】
ユニットは、決定ステップ１１２０の“最後の０．５秒間に同じアクチュエータが作動されたか”に進む。この決定ステップの機能が含まれることで、アクチュエータを複数回作動させることによって追加的な機能にアクセスできるようになっている。決定ステップ１１２０の出力が“ｎｏ”である場合、ユニットは、ステップ１１３０の“シーンプリセットとして光度レベルを格納”の命令を受け、ここでプログラムされようとしているシーン選択アクチュエータについての新しい光度レベルが格納される。
【０１７２】
プログラムはステップ１１００の“メインの最上部へ戻る”へ進む。決定ステップ１１２０の“最後の０．５秒間に同じアクチュエータが作動されたか”の出力が“ｙｅｓ”である場合、すなわち、アクチュエータの複数回の作動がある時間内に生じた場合、ユニットはステップ１１２２の“シーンナンバーに４を加える”及びステップ１１３０の“シーンプリセットとしての光度レベルを格納”の命令を受け、プログラムはステップ１０００の“メインの最上部に戻る”に進む。
【０１７３】
決定ステップ１１０２の“トグルか”の出力が“ｎｏ”であり、決定ステップ１１１２の“上昇か”の出力が“ｎｏ”である場合、プログラムは次の大きなルーチンに移り、決定ステップ１１２４の“下降か”に入る。下方電力レベル選択部分１２ｂが作動されたかどうかに関して決定がなされる。決定ステップ１１２４からの出力が“ｎｏ”である場合、変化は生じず、プログラムはステップ１１１０の“メインの最上部に戻る”に進む。
【０１７４】
決定ステップ１１２４の出力が“ｙｅｓ”である場合、プログラムは決定ステップ１１２６の“下端またはオフか”に進む。電灯１１４が最小限の光度かまたはオフかに関して決定がなされる。決定ステップ１１２０からの出力が“ｙｅｓ”である場合、光度は更に減少することはできず、変化は生じず、プログラムはステップ１１１０の“メインの最上部に戻る”に進む。決定ステップ１１２６からの出力が“ｎｏ”である場合、制御ユニット１０はステップ１１２８の“１ステップずつ光度レベルを減少”の命令を受け、ここで制御ユニット１０の出力電力が減少され、つぎにステップ１１１８の“シーンを決定”の命令を受け、ここで再びユニットはどのシーンがプログラムされているかをチェックする。
【０１７５】
プログラムは、決定ステップ１１２０の“最後の０．５秒間に同じアクチュエータが作動されたか”に進む。決定ステップ１１２０からの出力が“ｎｏ”である場合、ユニットはステップ１１３０の“シーンプリセットとして光度レベルを格納”の命令を受け、ここでプログラムされようとしているシーン選択アクチュエータについての新しい光度が格納される。プログラムはステップ１１１０の“メインの最上部に戻る”に進む。決定ステップ１１２０の“最後の０．５秒間に同じアクチュエータが作動されたか”の出力が“ｙｅｓ”である場合、ユニットはステップ１１２２の“シーンナンバーに４を加える”及びステップ１１３０の“シーンプリセットとして光度レベルを格納”の命令を受け、プログラムはステップ１１１０の“メインの最上部に戻る”に進む。
【０１７６】
図１５及び“下降”ルーチン１２００を参照すると、最初の決定ステップはステップ１２０２の“ユニットがオンか”であり、ここで制御ユニット１０が“オン状態”にあるかどうかに関して決定がなされる。決定ステップ１２０２の“ユニットがオンか”からの出力が“ｙｅｓ”である場合、プログラムは決定ステップ１２０４の“下端か”に進み、ここで、電灯１１４が最小限の光度かどうかについての決定がなされる。決定ステップ１２０４からの出力が“ｙｅｓ”である場合、光度はそれ以上は減少することはできず、変化は生じず、プログラムはステップ１２０６の“メインの最上部に戻る”に進む。決定ステップ１２０４の“下端か”の出力が“ｎｏ”である場合、プログラムは決定ステップ１２２２の“フェーディングか”に進む。制御ユニット１０が安定状態にあるかどうか、または２つの異なる出力光度レベル間でフェーディングしているかどうかについての決定がなされる。決定ステップ１２２２からの出力が“ｙｅｓ”である場合、制御ユニット１０が２つの異なる光度レベル間でフェーディングしており、従って制御ユニット１０はステップ１２２４の“フェーディングを停止”及びステップ１２１２の“１ステップずつ光度レベルを減少”の命令を受け、制御ユニット１０の出力電力が減少される。次の決定ステップは、ステップ１２１４の“ＩＲ命令だったか”である。
【０１７７】
決定ステップ１２２２の“フェーディングか”の出力が“ｎｏ”である場合、制御ユニット１０からの電力出力は安定状態にあり、制御ユニット１０はステップ１２１２の“１ステップずつ光度レベルを減少”の命令を受け、制御ユニット１０の出力電力は減少される。プログラムは決定ステップ１２１４の“ＩＲ命令だったか”に進み、ここで、プログラムをステップ１２００の“下降”ルーチンに入れた赤外線信号が受信されたかどうかに関する決定が行われる。
【０１７８】
決定ステップ１２１４の“ＩＲ命令だったか”からの出力が“ｙｅｓ”である場合、プログラムはステップ１２１６の“ＬＥＤを更新”に進み、次いでステップ１２０６の“メインの最上部に戻る”に進む。格納されたプリセットレベルへの変化は起こらない。なぜならば、制御ユニット１０がプログラムモードにない限り、ワイヤレス送信機からの下降命令は現在の光度のみに作用するからである。更に、以下に詳細に説明するように、制御ユニット１０のユーザが作動可能な光度選択アクチュエータを使用することによって調整される光度レベルは、ロックされたプリセットモードが設定されている場合一時的であり、ロックされたプリセットモードが設定されていなければ格納される。
【０１７９】
決定ステップ１２１４の“ＩＲ命令だったか”の出力が“ｎｏ”である場合、プログラムは決定ステップ１２０８の“ロックされたプリセットモードは設定されているか”に進み、ここでプリセット光度が格納されているかどうかについて決定がなされる。決定ステップ１２０８からの出力が“ｎｏ”であり、ロックされたプリセットが格納されていなかった場合、ユニットはステップ１２１０の“プリセットを更新”の命令を受け、ここで、ロック解除されたプリセットの現在の値を格納しているメモリがそれに新しい光度レベルを格納する。プログラムはステップ１２１２の“ＬＥＤを更新”に進み、ここで光度指示装置１４の状態が更新され、プログラムはステップ１２０６の“メインの最上部に戻る”に進む。決定ステップ１２０８の“ロックされたプリセットモードは設定されているか”の出力が“ｙｅｓ”である場合、ユニットはステップ１２１６の“ＬＥＤを更新”の命令を受け、次いでステップ１２０６の“メインの最上部に戻る”に行く。格納されたプリセット光度レベルには変化は生じない。
【０１８０】
決定ステップ１２０２の“ユニットがオンか”の出力が“ｎｏ”である場合、ユニットは決定ステップ１２２１の“遅延オフプログラムモード中か”に進む。制御ユニット１０をオフにするアクチュエータをユーザが作動させる度に、ユニットがオフする前にある量の時間を遅らせるように、遅延オフ時間を永久に格納することができる。制御ユニット１０がオフまでの遅延時間がプログラムされるモードにある場合、決定ステップ１２２１からの出力は“ｙｅｓ”であり、プログラムは決定ステップ１２２６の“１０秒間下降アクチュエータが保持されたか”に進む。
【０１８１】
永久的に格納されたオフまでの遅延時間は、ステップ１２００の“下降”命令をもたらすアクチュエータを延長された時間、すなわち、１０秒間にわたって作動させることによって消去することができる。決定ステップ１２２６からの出力が“ｙｅｓ”である場合、ユニットはステップ１２２８の“遅延オフ時間をキャンセル”の命令を受け、プログラムはステップ１２０６の“メインの最上部に戻る”に進む。決定ステップ１２２６の“下降アクチュエータが１０秒間にわたって保持されたか”からの出力が“ｎｏ”である場合、プログラムはステップ１２３０の“下降アクチュエータがどの程度保持されたかを決定する”に進み、ここでステップ１２００の“下降”命令アクチュエータがどれぐらいの期間にわたり作動されたかに関して決定がなされる。プログラムはステップ１２３２の“保持時間に対応する遅延オフ時間を設定”に続き、ここで適当な遅延時間が格納される。プログラムはステップ１２３４の“ＬＥＤを点滅”に続き、ここで指示装置は上述したように点滅する。プログラムはステップ１２０６の“メインの最上部に戻る”に進む。ユーザが“下降”命令アクチュエータを長く押せば長く押す程、格納される遅延オフ時間は長くなる。
【０１８２】
決定ステップ１２２１の“遅延オフプログラムモード中か”からの出力が“ｎｏ”である場合、ユニットは決定ステップ１２１８の“４．０秒間下降が保持されたか”に進む。遅延オフ時間を永久に格納するために、ユーザは、“下降”の命令を発するアクチュエータを延長された時間、すなわち、４秒間にわたって作動させる。決定ステップ１２１８が“ｎｏ”である場合、プログラムはステップ１２０６の“メインの最上部に戻る”に進む。
【０１８３】
決定ステップ１２１８からの出力が“ｙｅｓ”である場合、制御ユニット１０はステップ１２２０の“遅延オフプログラムモードを開始”の命令を受け、上述したように最下方の指示装置１４を点滅させる命令を受け、つぎにステップ１２３４の“ＬＥＤを点滅する”に進む。次いでプログラムはステップ１２０６の“メインの最上部に戻る”に進む。
【０１８４】
図１６を参照すると、“上昇”ルーチン１４００において、最初の決定ステップは決定ステップ１４０２の“ユニットがオンか”であり、ここで、制御ユニット１０がオン状態にあるかどうかについて決定がなされる。決定ステップ１４０２の“ユニットがオンか”からの出力が“ｙｅｓ”である場合、すなわち、制御ユニット１０がオンである場合、プログラムは決定ステップ１４０４の“上端か”に移動し、ここで電灯１１４が最大限の光度であるかどうかに関して決定がなされる。
【０１８５】
決定ステップ１４０４からの出力が“ｙｅｓ”である場合、光度は更に増大することはできず、変化は起こらず、プログラムはステップ１４２０の“メインの最上部に戻る”に進む。決定ステップ１４０４からの出力が“ｎｏ”である場合、ルーチンは決定ステップ１４０６の“フェーディングか”に進み、ここで制御ユニット１０が安定状態にあるかどうか、または２つの異なる出力光度レベルの間でフェーディングしているかどうかに関して決定が行われる。決定ステップ１４０６からの出力がｙｅｓである場合、制御ユニット１０が２つの異なる光度レベルの間でフェーディングしており、従って制御ユニット１０はステップ１４０８の“フェーディングの停止”の命令を受け、次いでステップ１４１０の“１ステップずつ光度レベルを増大”の命令を受け、ここで制御ユニット１０の出力電力が増大される。決定ステップ１４０６の“フェーディングか”からの出力が“ｎｏ”である場合、ユニットはステップ１４１０の“１ステップずつ光度レベルを増大”の命令を受け、ここで制御ユニット１０の出力電力が増大される。次にプログラムは決定ステップ１４１２の“ＩＲ命令であったか”に進み、ここでプログラムを上昇ルーチン１４００に入るようにした赤外線信号を受信したかどうかについて決定が行われる。決定ステップ１４１２からの出力が“ｙｅｓ”である場合、制御ユニット１０はステップ１４１８の“ＬＥＤを更新”まで進み、次いでプログラムはステップ１４２０の“メインの最上部に戻る”まで進む。格納されたプリセットレベルに変化は生じない。なぜならば、ワイヤレス送信機からのステップ１４００の上昇ルーチン命令は、制御ユニット１０がプログラムモードにない限り、現在の光度レベルにのみ影響を与えるからである。決定ステップ１４１２の“ＩＲ命令であったか”からの出力が“ｎｏ”である場合、プログラムは決定ステップ１４１４の“ロックされたプリセットモードは設定されているか”に進み、ここでロックされたプリセット光度レベルが格納されているかどうかについて決定がなされる。決定ステップ１４１４からの出力が“ｙｅｓ”である場合、制御ユニット１０はステップ１４１８の“ＬＥＤの更新”まで進み、ここで光度指示装置１４の状態が更新され、次いでプログラムをステップ１４２０の“メインの最上部に戻る”に進む。決定ステップ１４１４からの出力が“ｎｏ”である場合、ユニットはステップ１４１６の“プリセットを更新”の命令を受け、ここでロック解除されたプリセットの現在の値を格納するメモリ（図示せず）が新しい光度レベルを有そのメモリ内に格納し、ステップ１４１８の“ＬＥＤを更新”に行く。決定ステップ１４０２の“ユニットがオンか”からの出力が“ｎｏ”である場合、制御ユニット１０はステップ１４２２の“下端にターンオン”の命令を受け、ここで制御ユニット１０がオンにされ、プログラムはステップ１４１０の“１ステップずつ光度レベルを増大する”に行き、次いで決定ステップ１４１２の“ＩＲ命令であったか”に行く。
【０１８６】
図１７及び“トグル”ルーチン１３００を参照すると、最初の決定ステップはステップ１３０２の“学習アドレスモード中か”であり、ここで制御ユニット１０が、それに新しいアドレスが付けられるモードにあるかどうかに関して決定がなされる。制御ユニット１０が新しいアドレスが付けられているという決定がマイクロプロセッサ１０８によってなされた場合、決定ステップ１３０２からの出力は“ｙｅｓ”である。そしてマイクロプロセッサは、制御ユニット１０に受領した新しいアドレスをそのユニットのアドレスとして格納することを命令するステップ１３０４の“信号認識として新しいアドレスを使用”に進む。次いでステップ１３０６の“メインの最上部に戻る”に進む。上述したように、制御ユニット１０はＩＲ信号を介して独特のアドレスを受けることができる。これにより、複数の制御ユニット１０を個々に制御するために、アドレス選択スイッチを有する送信機を使用することが可能になる。決定ステップ１３０２の“学習アドレスモード中か”の出力が“ｎｏ”である場合、プログラムは決定ステップ１３３０の“最後のトグルか”に進み、ここで制御スイッチアクチュエータ１３が一時的な時間以上の間作動されているかどうかに関して決定がなされる。決定ステップ１３３０からの出力が“ｙｅｓ”である場合、プログラムは決定ステップ１３３２の“フェーディングオフか”に進み、ここで制御ユニット１０の出力時の電力レベルが減少しているかどうかに関しての決定が行われる。決定ステップ１３３２の出力が“ｙｅｓ”であり、電力出力が減少している場合、プログラムは決定ステップ１３３４の“１／２秒間トグルが保持されたか”に進み、ここで１／２秒間以上制御スイッチアクチュエータ１３が作動されたどうか、そうならば、どのくらい長く作動されたかどうかに関して決定がなされる。このステップの出力が“ｙｅｓ”である場合、制御ユニット１０はステップ１３３６の“決定された遅延時間でオフに遅延”の命令を受け、ここで制御ユニット１０は制御スイッチアクチュエータ１３が作動された時間の長さに対応する遅延時間の期間現在の電力レベルを出力し、次いで出力電力レベルを減少させ、したがって電灯１１４の光度をゼロまで減少させる。プログラムはステップ１３３８の“ＬＥＤを更新”に進み、ここで現在の光度レベルを指示する指示装置１４が遅延時間の間点滅し、また制御ユニット１０からの出力電力レベルが減少するにつれて連続的により下方の指示装置が次々に照明される。次いでプログラムはステップ１３０６の“メインの最上部に戻る”に進む。
【０１８７】
決定ステップ１３３０の“最後のトグルか”からの出力が“ｎｏ”であり、制御スイッチアクチュエータ１３が一時的な時間以上にわたって作動されていない場合、プログラムは決定ステップ１３１８の“最後の０．５秒間にトグルがタップされたか”に進み、ここで、制御スイッチアクチュエータ１３が最後の０．５秒間に一時的な方法ですでに作動されたかどうかに関して決定がなされる。決定ステップ１３１８からの出力が“ｙｅｓ”である場合、プログラムは決定ステップ１３２０の“１．０秒内の第３のタップか”に進み、ここで、これが１．０秒内における一時的な期間の３回目の作動であるかどうかに関して決定がなされる。決定ステップ１３２０からの出力が“ｙｅｓ”である場合、制御ユニット１０はステップ１３２２の“ロックされたプリセットとして現在の光度レベルを格納”の命令を受け、ここで現在の光度レベルがロックされたプリセット光度レベルとしてメモリ内に格納される。プログラムはステップ１３２４の“現在の光度レベルに維持”に続き、現在の光度レベルは変化せず、プログラムはステップ１３２６の“ＬＥＤを２回点滅”に進む。現在の光度レベルを指示する指示装置１４は２Ｈｚの周波数で２度点滅し、現在の光度レベルが格納されたことを指示する。プログラムはステップ１３２８の“ロックされたプリセットモードを設定”に進み、ここでマイクロプロセッサ１０８はロックされたプリセットモードにあることを反映するよう更新される。このプログラムはステップ１３３８の“ＬＥＤを更新”に進み、ここで現在の光度レベルを示す指示装置１４が照明される。
【０１８８】
決定ステップ１３２０の“１．０秒内の第３のタップか”からの出力が“ｎｏ”である場合、プログラムは決定ステップ１３４０の“１．５秒内の第４のタップか”に進み、ここで、これが１．５秒内における一時的な期間の４回目の作動であるかどうかに関しての決定が行われる。決定ステップ１３４０からの出力が“ｎｏ”である場合、それは一時的な期間の２回目の作動であるに違いなく、制御ユニット１０はステップ１３４６の“高速フェードでフルにフェード”まで進む。電灯１１４の光度は最大限の光度まで迅速に増大し、プログラムはステップ１３３８の“ＬＥＤを更新”に進み、ここで連続的により上方のレベルの指示装置が電灯１１４の光度が増大するにつれて次々に照明される。
【０１８９】
決定ステップ１３４０からの出力が“ｙｅｓ”である場合、これは１．５秒内における一時的な期間の４回目の作動である。プログラムはステップ１３４２の“ロックされたプリセットの中断”に進み、ここでマイクロプロセッサ１０８はロックされたプリセットモードから制御ユニット１０を除去するように更新される。プログラムはステップ１３４４の“ＬＥＤを二度点滅させる”に進み、ここで現在の光度レベルを指示する指示装置が２Ｈｚの周波数で二度点滅し、次いでステップ１３３８の“ＬＥＤを更新”に進み、ここで現在の光度レベルを指示する指示装置１４が照明される。
【０１９０】
決定ステップ１３１８の“最後の１／２秒間にトグルがタップされたか”からの出力が“ｎｏ”である場合、プログラムはステップ１３０８の“ユニットオンまたはフェーディングアップか”に進み、ここで、制御ユニット１０がオン状態にあるかどうか、または２つの光度レベルの間でフェーディングしているかどうかに関して決定がなされる。決定ステップ１３０８からの出力が“ｙｅｓ”である場合、プログラムは決定ステップ１３１０の“遅延オフモードは設定されているか”に進む。決定ステップ１３１０からの出力が“ｙｅｓ”であり、オフまでの所定の遅延時間が格納されている場合（図１５の遅延設定ルーチン１２３２の説明を参照）、制御ユニット１０はステップ１３１２の“プログラムされた時間でオフに遅延”の命令を受ける。電灯１１４は格納されたオフまでの遅延時間の間現在の光度レベルに留まり、次いで電灯１１４の光度がゼロに減少する。プログラムはステップ１３０６の“メインの最上部に戻る”に進む。決定ステップ１３１０の“遅延オフモードは設定されているか”からの出力が“ｎｏ“である場合、制御ユニット１０はステップ１３１４の“オフにフェード”の命令を受け、電灯１１４の光度はゼロに低減する。次いで、ステップ１３３８の“ＬＥＤを更新する”に進み、電灯１１４の光度が減少するにつれて連続的により下方の指示装置が次々に照明される。
【０１９１】
決定ステップ１３０８の“ユニットオンまたはフェーディングアップか”の出力が“ｎｏ”である場合、制御ユニット１０はステップ１３１６の“プリセットにフェード”の命令を受け、ここで電灯１１４の光度がプリセットレベルまで増大する。このプリセットレベルは、ロックされたプリセットレベル、又は制御ユニット１０がオン状態にあったときの最後のプリセットレベルであってよい。プログラムはステップ１３３８の“ＬＥＤを更新する”に進み、ここで電灯１１４の光度が増大するにつれて連続的に上方の指示装置１４が次々に照明される。
【０１９２】
決定ステップ１３３２の“フェーディングオフか”からの出力が“ｎｏ”である場合、プログラムはステップ１３３８の“ＬＥＤを更新”に進み、ここで指示装置１４の状態が更新される。決定ステップ１３３４の“１／２秒間トグルが保持されたか”の出力が“ｎｏ”である場合、プログラムはステップ１３３８の“ＬＥＤを更新”に進み、指示装置１４の状態が更新される。
【０１９３】
図１８、１９及び２０並びに“ＩＲ信号”ルーチン１５００を参照すると、決定ステップ１５５０の“正しい信号アドレスか”でスタートし、制御ユニット１０は、ＩＲ信号アドレスがユニットアドレスに合致するかどうかを見るための第１のチェックによって、受信されたＩＲ信号に応答すべきかどうかを決定する。アドレスが合致しない場合、制御ユニット１０はＩＲ信号を無視する。決定ステップ１５５０からの出力が“ｎｏ”である場合、プログラムはステップ１５６４の“メインの最上部に戻る”に進む。
【０１９４】
決定ステップ１５５０からの出力が“ｙｅｓ”である場合、プログラムは決定ステップ１５５２の“ＩＲプログラムモード中か”に進み、ここで制御ユニット１０がＩＲプログラムモードにあるかどうかに関して決定がなされる。このステップの出力が“ｎｏ”である場合、プログラムは一連の決定ステップに進む。
【０１９５】
最初の決定ステップはステップ１５２８の“上昇か”であり、ここで、増大電力レベルアクチュエータ２３ａ、３３ａが作動されたこと、または電力レベル選択アクチュエータ４３、５３がその上方位置に作動されたことを、ＩＲ信号が指示するかどうかの決定がなされる。決定ステップ１５２８の“上昇か”からの出力が“ｙｅｓ”である場合、プログラムはステップ１５３０の“上昇ルーチンに行く”に進む。上昇ルーチンは図１６に示されている。決定ステップ１５２８からの出力が“ｎｏ”である場合、プログラムは決定ステップ１５０８の“下降か”に進み、ここで減少電力レベルアクチュエータ２３ｂ、３３ｂが作動されたこと、または電力レベル選択アクチュエータ４３、５３がその下降位置に作動されたことを、ＩＲ信号が指示するかどうかの決定がなされる。決定ステップ１５０８の“下降か”からの出力が“ｙｅｓ”である場合、プログラムはステップ１５１０の“下降ルーチンに行く”に進む。下降ルーチンは図１５に示されている。決定ステップ１５０８の“下降か”からの出力が“ｎｏ”である場合、プログラムは決定ステップ１５０２の“フルオンか”に進み、ここで、ＩＲ信号が、図２に示すような送信機スイッチアククュエータ２１の２回の一時的な作動が短期間の間に起こったことを指示するかどうかについて決定がなされる。決定ステップ１５０２からの出力が“ｙｅｓ”であれば、制御ユニット１０はステップ１５１２の“高速フェードでフルオンにフェード”の命令を受け、これは電灯１１４の光度を最大限まで迅速に増大させ、次いでステップ１５６２の“ＬＥＤを更新”に進み、ここで、電灯１４の光度が増大するにつれて、連続的により上方の指示装置１４が次々に照明され、次いでプログラムはステップ１５６４でメインの最上部に進む。
【０１９６】
決定ステップ１５０２の“フルオンか”からの出力が“ｎｏ”である場合、プログラムは決定ステップ１５３２の“オフか”に進み、ここで、オフアクチュエータ３１ｂ、４１ｅ、５１ｅが作動されたこと、または送信機スイッチアクチュエータ２１が作動されたことをＩＲ信号が指示するかどうか、及び制御ユニット１０がオン状態にあるかどうかに関して決定がなされる。決定ステップ１５３２からの出力が“ｙｅｓ”である場合、制御ユニット１０はステップ１５３４の“オフにフェード”の命令を受け、ここで電灯１１４の光度をゼロに減少させ、次いでステップ１５６２の“ＬＥＤを更新”に進み、ここで電灯１１４の光度がゼロに減少するにつれて連続的により下方の指示装置１４が次々に照明される。
【０１９７】
決定ステップ１５３２の“オフか”の出力が“ｎｏ”である場合、プログラムは、決定ステップ１５１４の“プリセットにオンか”に進み、ここで、図２に示す基本的な送信機のアクチュエータ２１の一時的な期間の単一の作動が生じたことをＩＲ信号が指示するかどうか、及び制御ユニット１０がオフ状態にあるかどうかに関して決定がなされる。決定ステップ１５１４からの出力が“ｙｅｓ”である場合、制御ユニット１０はステップ１５１６の“プリセットにフェード”の命令を受け、ここで電灯１１４の光度を、ゼロから、ロックされたプリセット光度レベルまたはロック解除されたプリセット光度レベルのいずれかであるプリセット光度レベルまで増大させ、次いでステップ１５６２の“ＬＥＤを更新”に進み、ここでプリセット光度レベルを指示する指示装置１４が照明されるまで、電灯１１４の光度が増大するにつれて、連続的により上方の指示装置１４が次々に照明される。
【０１９８】
決定ステップ１５１４の“プリセットにオンか”の出力が“ｎｏ”である場合、プログラムは決定ステップ１５０４の“オフに遅延か”に進み、ここで、図２、３、４及び５に示すような送信機スイッチアクチュエータ２１またはオフアクチュエータ３１、４１ｅ、５１ｅが０．５秒以上の時間にわたって作動されたことをＩＲ信号が指示するかどうかについて決定がなされる。決定ステップ１５０４からの出力が“ｙｅｓ”である場合、制御ユニット１０はステップ１５３６の“決定された遅延時間でオフに遅延”の命令を受ける。マイクロプロセッサ１０８はアクチュエータ２１、３１、４１ｅ、５１ｅが作動された時間の長さから遅延時間を決定し、制御ユニット１０は電灯１１４を遅延時間の長さにわたって現在の光度レベルに保持し、次いで電灯１１４の光度をゼロまで減少させる。次いでプログラムはステップ１５６２の“ＬＥＤを更新”に進み、ここで現在の光度レベルを指示する指示装置１４が遅延時間の間点滅し、その後電灯１１４の光度がゼロまで減少するにつれて連続的により下方の指示装置１４が次々に照明される。
【０１９９】
決定ステップ１５０４の“オフに遅延か”の出力が“ｎｏ”である場合、プログラムは決定ステップ１５１８の“シーン命令か”に進み、ここで、シーン選択アクチュエータ３１ａ、４１ａ−ｄ、５１ａ−ｄの１つ、または改良されたワイヤレス送信機のシーン選択アクチュエータとして使用されている特殊機能アクチュエータ５１ｆ−ｉの１つが作動されたことをＩＲ信号が指示するかどうかに関して決定がなされる。決定ステップ１５１８の出力が“ｙｅｓ”である場合、プログラムはステップ１５３８の“シーンを決定”に進み、ここで作動された特定のシーン選択アクチュエータが決定される。次いでプログラムは決定ステップ１５４０の“最後の０．５秒間に同じシーンアクチュエータが作動されたか”に続き、ここで特定のシーン選択アクチュエータが最後の０．５秒間にすでに作動されたかどうかに関して決定がなされる。決定ステップ１５４０からの出力が“ｙｅｓ”である場合、プログラムはステップ１５４２の“シーンナンバーに４を加える”に進み、特定のシーン選択アクチュエータに関連するより大きな数が付けられて格納されているプリセット光度レベルが使用される。次いでプログラムはステップ１５２０の“シーンにフェード”に進み、ここで電灯１１４の光度の値は、所望の格納されたプリセット光度レベルと等しくなるまで増大又は減少する。この所望の格納されたプリセット光度レベルは、そのシーン選択アクチュエータに関連して、改良されたワイヤレス送信機３０、４０、５０から制御ユニット１０内に予めプログラムされている。プログラムはステップ１５６２の“ＬＥＤを更新”に進み、ここで現在の光度を指示する指示装置１４がまず照明され、その後プリセット光度レベルを指示する指示装置１４が照明されるまで、電灯１１４の光度が変化するにつれて、連続的に上方のまたは下方の指示装置が次々に照明される。決定ステップ１５４０の“最後の０．５秒間に同じシーンアクチュエータが作動されたか”の出力が“ｎｏ”である場合、プログラムはシーンナンバーに４を加えることなく、ステップ１５２０の“シーンにフェード”に進み、その後制御ユニット１０に対して直ぐ上で述べたのと同じ作用をなすステップ１５６２の“ＬＥＤを更新”に進む。
【０２００】
決定ステップ１５１８の“シーン命令か”の出力が“ｎｏ”である場合、プログラムは決定ステップ１５０６の“ＩＲプログラム信号か”に進み、ここで改良された送信機３０、４０、５０のアクチュエータの適当な組み合わせが作動されて、制御ユニットがプログラムモードに入れられたことをＩＲ信号が指示するかどうかに関して決定が行われる。決定ステップ１５０６の出力が“ｙｅｓ”である場合、プログラムは決定ステップ１５２２の“３秒間プログラム信号を受信したか”に進み、ここで、アクチュエータの組み合わせが３秒間作動されたかどうかに関して決定がなされる。決定ステップ１５２２の出力が“ｙｅｓ”である場合、プログラムは決定ステップ１５２４の“現在プログラムモード中か”に進み、ここで制御ユニット１０が現在プログラムモードにあるかどうかに関して決定が行われる。決定ステップ１５２４の出力が“ｙｅｓ”である場合、プログラムはステップ１５４４の“ＩＲプログラムモードから出る”に進み、ここで制御ユニット１０はプログラムモードを出る。つぎにプログラムはステップ１５４６の“プリセットシーン光度レベルを格納”に進み、ここでプログラムされている最後のアクチュエータに関連するプリセット光度レベルがメモリに格納され、次いでプログラムはステップ１５４８の“ＬＥＤの点滅を停止”に進み、ここでプログラムモードに関連してオンオフが繰り返されている指示装置１４が消える。次いでプログラムはステップ１５６２の“ＬＥＤの更新”に進み、ここで指示装置１４の光度が制御ユニット１０の新しい条件を反映するよう更新され、次いでプログラムはステップ１５６４でメインの最上部に戻る。
【０２０１】
決定ステップ１５２４の“現在プログラムモード中か”の出力が“ｎｏ”である場合、プログラムはステップ１５２６の“シーン１のプログラムモードに入る”に進む。制御ユニット１０は、プログラムモードに入り、そして第１の選択シーンアクチュエータ３１ａ、４１ａ、５１ａを作動させることによって再び呼び出されるプリセットのために格納されるプリセット光度を調整する信号を受領するよう、命令を受ける。次いでプログラムはステップ１５６０の“ＬＥＤを点滅”に進む。指示装置１４は改良された遠隔制御送信機３０、４０、５０からのプリセット光度のプログラミングの説明に関して上述したようにオンオフを繰り返し、次いでプログラムはステップ１５６２の“ＬＥＤを更新する”に進み、ここで指示装置１４の光度は制御ユニット１０の新しい条件を反映するよう更新される。決定ステップ１５２２の“３秒間プログラム信号を受信したか”の出力が“ｎｏ”である場合、プログラムはステップ１５６２の“ＬＥＤを更新”に進む。決定ステップ１５０６の“ＩＲプログラム信号か”の出力が“ｎｏ”である場合、プログラムは決定ステップ１５９２の“特殊機能か”に進み、ここで特殊機能のアクチュエータ５１ｆ−ｉが改良されたワイヤレス遠隔制御装置５０で作動されたことを指示するＩＲ信号を受信したかどうかに関して決定がなされる。
【０２０２】
決定ステップ１５９２の“特殊機能か”の出力が“ｎｏ”である場合、プログラムは決定ステップ１５９０の“学習アドレスモードか”に進み、ここで制御ユニット１０に新しいアドレスが付けられるべきことを示すＩＲ信号を受信したかどうかについて決定がなされる。決定ステップ１５９０の“学習アドレスモードか”の出力が“ｎｏ”である場合、プログラムはステップ１５６４の“メインの最上部に戻る”に進む。決定ステップ１５９０の出力が“ｙｅｓ”である場合、プログラムはステップ１５８０の“新しいアドレスを格納”に進み、ここで制御ユニット１０に割り当てられた新しいアドレスがメモリに格納される。次いでプログラムはステップ１５６４の“メインの最上部に戻る”に進む。決定ステップ１５９２の“特殊機能か”の出力が“ｙｅｓ”である場合、これは特殊機能アクチュエータ５１ｆ−ｉが改良されたワイヤレス遠隔制御装置５０で作動されたことを示す。次いでプログラムは決定ステップ１５９４の“長いフェード機能か”に進み、ここで“長いフェード機能”が選択されたことを指示するＩＲ信号を受信したかどうかに関する決定を行うことにより、どの特殊機能が選択されたかを決定する。決定ステップ１５９４の“長いフェード機能か”の出力が“ｙｅｓ”である場合、ユニットはステップ１５９６の“決定されたフェード時間でオフにフェード”の命令を受け、ここで電灯１１４の光度レベルが、どれくらい長い時間特殊機能アクチュエータが作動されたかに依存する一定時間をかけてゼロまでゆっくり減少する。次いでプログラムはステップ１５６０の“ＬＥＤを点滅する”に進み、ここで指示装置１４は特殊機能の“決定されたフェード時間でオフまでフェード”の説明に関連して上述したようにオンオフを繰り返す。次いでプログラムはステップ１５６２の“ＬＥＤの更新”に進み、ここで指示装置１４の光度が制御ユニット１０の新しい条件を反映するよう更新される。決定ステップ１５９４の“長いフェードか”の出力が“ｎｏ”である場合、プログラムは決定ステップ１５８６の“前の光度レベルか”に進み、ここで“前の光度レベル”の特殊機能が選択されたことを指示するＩＲ信号を受信したかどうかに関する決定がなされる。決定ステップの１５８６の“前の光度レベル”の出力が“ｎｏ”である場合、プログラムはステップ１５６４の“メインの最上部に戻る”に進む。決定ステップ１５８６の“前の光度レベルか”の出力が“ｙｅｓ”である場合、プログラムはステップ１５８８の“前の光度レベルに戻る”に進み、ここで制御ユニット１０は、電灯１１４の光度を、シーン選択アクチュエータまたは増大若しくは減少電力レベル選択アクチュエータの作動によって最後に調整される前の電灯１１４の光度に調整するように命令される。次いでプログラムはステップ１５６２の“ＬＥＤの更新”に進み、ここで指示装置１４の光度が制御ユニット１０の新しい条件を反映するよう更新される。
【０２０３】
決定ステップ１５５２の“ＩＲプログラムモード中か”の出力が“ｙｅｓ”である場合、制御ユニット１０は“ＩＲプログラムモード”にあることを示し、プログラムは決定ステップ１５５４の“上昇か”に進み、ここで増大電力レベルアクチュエータ２３ａ、３３ａが作動されたか、または電力選択クチュエータ４３、５３がその上部位置にあることを示すＩＲ信号を受信したかどうかに関して決定がなされる。決定ステップ１５５４の“上昇か”の出力が“ｙｅｓ”である場合、プログラムはステップ１５５６の“１ステップずつ光度レベルを増大する”に進み、ここで制御ユニット１０の出力電力が増大される。次いでプログラムはステップ１５５８の“シーン用のプリセットとして光度レベルを格納”に進み、ここで、プログラムされているシーン選択アクチュエータ用に新しい光度レベルが格納され、プログラムはステップ１５６０の“ＬＥＤを点滅”に進み、ここで指示装置１４が上述のようにオンオフを繰り返し、プログラムされているシーン選択アクチュエータ及び現在の光度レベルを指示する。プログラムはステップ１５６２の“ＬＥＤの更新”に進み、ここで、指示装置１４の光度が制御ユニット１０の新しい条件を反映するよう更新される。次いでプログラムはステップ１５６４の“メインの最上部に戻る”に進む。決定ステップ１５５４の“上昇か”の出力が“ｎｏ”である場合、プログラムは決定ステップ１５６６の“下降か”に進み、ここで減少電力レベルアクチュエータ２３ｂ、３３ｂが作動されたか、または電力選択アクチュエータ４３、５３がその下降位置にあることを指示するＩＲ信号を受信したかどうかに関して決定がなされる。
【０２０４】
決定ステップ１５６６の“下降か”の出力が“ｙｅｓ”である場合、プログラムはステップ１５６８の“１ステップずつ光度レベルを減少”に進み、ここで制御ユニット１０の出力電力が減少される。次いでプログラムは、直ぐ上に述べたのと同じ作用を有する、ステップ１５５８の“シーン用のプリセットとして光度レベルを格納”、ステップ１５６０の“ＬＥＤを点滅”、ステップ１５６２の“ＬＥＤを更新”、ステップ１５６４の“メインの最上部に戻る”に進む。
【０２０５】
決定ステップ１５６６の“下降か”の出力が“ｎｏ”である場合、プログラムは決定ステップ１５７２の“シーン命令か”に進み、ここで、シーン選択アクチュエータ３１ａ、４１ａ−ｄ、５１ａ−ｄが作動されたことを示すＩＲ信号を受信したかどうかに関して決定がなされる。決定ステップ１５７２の“シーン命令”の出力が“ｙｅｓ”である場合、プログラムはステップ１５７４の“シーンを決定”に進み、どのシーン選択アクチュエータが作動されたかに関して決定がなされる。次いでプログラムは決定ステップ１５７６の“最後の０．５秒間に同じシーンアクチュエータが作動されたか”に進み、ここで最後の０．５秒間に同じシーン選択アクチュエータが作動されたかどうかに関する決定が行われる。決定ステップ１５７６の“最後の０．５秒間に同じシーンアクチュエータが作動されたか”の出力が“ｙｅｓ”である場合、プログラムはステップ１５７０の“シーンナンバーに４を加える”及びステップ１５７８の“シーンにフェード”に進み、ここでプログラムされているプリセット光度レベル用に格納された最後の光度レベルまで電灯１１４の光度レベルが増大又は減少される。次いでプログラムは、上述したのと同じ作用を有する、ステップ１５８８の“シーン用のプリセットとして光度レベルを格納”、ステップ１５６０の“ＬＥＤの点滅”、ステップ１５６２の“ＬＥＤを更新”、ステップ１５６４の“メインの最上部に戻る”に進む。
【０２０６】
決定ステップ１５７６の“最後の０．５秒間に同じシーンアクチュエータが作動されたか”の出力が“ｎｏ”である場合、制御ユニットはシーンナンバーに４を加えることなくステップ１５７８の“シーンへフェード”の命令を受け、上述したのと同じ作用を有するステップ１５５８の“シーン用のプリセットとして光度レベルを格納”、ステップ１５６０の“ＬＥＤを点滅”、ステップ１５６２の“ＬＥＤを更新”、ステップ１５６４の“メインの最上部に戻る”に進む。決定ステップ１５７２の“シーン命令か”の出力が“ｎｏ”である場合、プログラムは決定ステップ１５８２の“オフか”に進み、ここでオフアクチュエータ３１ｂ、４１ｅ、５１ｅが作動されたことを指示するＩＲ信号を受信したかどうかに関する決定がなされる。
【０２０７】
決定ステップ１５８２の“オフか”の出力が“ｙｅｓ”である場合、ユニットはステップ１５８４の“オフにフェード”の命令を受け、ここで制御ユニット１０の出力電力がゼロまで減少する。プログラムは次いで、上述したのと同じ作用を有するステップ１５５８の“シーン用のプリセットとして光度レベルを格納する”、ステップ１５６２の“ＬＥＤの点滅”、ステップ１５６２の“ＬＥＤの更新”及びステップ１５６４の“メインの最上部へ戻る”に進む。決定ステップ１５８２の“オフか”の出力が“ｎｏ”であるならば、プログラムはステップ１５６４の“メインの最上部に戻る”に進む。
【０２０８】
本発明の他の実施例において、電力制御ユニット１０はワイヤレス遠隔制御ユニット２０、３０、４０、５０から赤外線信号を受ける赤外線レンズ７０を含む。
【０２０９】
レンズ７０の平面図を示す図７を参照すると、赤外線レンズ７０の作用の基本的な原理は、レンズ７０を介し、検出器７６内へと、赤外線を屈折し、反射させることである。検出器７６は、赤外線エネルギーを受信し、それを電気エネルギーに変換する、赤外線受容面７８を含んで成る。レンズ７０は入力面７１と、出力面７３と、その間の平坦な本体部分７２とを有する。入力面７１は好ましくは平坦であり、入力面７１に直角な方向から見て矩形の形状を有する。矩形の形状内には入力面延長部分７９が含まれ、この部分７９は入力面７１の両端で本体部分７２を越えて伸びている。入力面延長部分７９はレンズ７０の中間の角度性能を高めている。これによって、図８Ｂに示すように入力面７１に直角な線に対し約±４０°以内の角度で入射される赤外線をレンズがより多く捕捉することができるようになっている。
【０２１０】
レンズの出力面７３はレンズ７０の中央に向かって内側にくぼんでいる凹面部分７３ａを含む。この凹面部分７３ａは、それを通過する赤外線を、本体部分７２から検出器７６の入力面７７上へと、したがって受容面７８上へと屈折させる。
【０２１１】
本体部分７２は平面的な上面及び底面を備えた実質的に平坦な形状を有し、側面７２ａは楕円７４によって定まる。この楕円７４は、直交座標において、ｘ2／ａ2＋ｙ2／ｂ2＝１で定まる。ここで、楕円は、長軸（主軸）７４ｘ及び短軸７４ｙに対して対称であり、２つの弧の長さ７４ａは楕円７４上の任意の点から２つの焦点７４ｃ、７４ｃ′までの距離となっている。焦点７４ｃ、７４ｃ′からの２つの弧の長さ７４ａは、楕円上のどのような任意の点に関しても、楕円７４の周との間で等しい角度７４ｄを成し、これにより、レンズ７０の側面７２ａを規定する。側面７２ａは入力面７１から本体部分７２に入る赤外線を反射し、図８Ａ、図８Ｂ及び図８Ｃに示すような出力面７３に向かって反射光を向ける。これらの図は、それぞれ０°、４０°及び８０°で入力面に入射する赤外線を示し、全体として、レンズ７０が図９Ａに示すようなアクチュエータ１３に設置されるとき、レンズ７０が水平方向の平面においてどれほど広角度の視野にわたって赤外線放射を捕捉するかを示している。
【０２１２】
レンズ７０の作用を図７を参照して説明する。焦点７４ｃに配置された赤外線の点光源（図示せず）が赤外線を一定方向に放出するとき、すべての成す角７４ｄ（以降“α”）［角度α≦ｓｉｎ-（１／ｎ）＝α0（スネルの法則：ここでｎはレンズ材料の屈折率）］に関して、光線はレンズの側面７２ａを定める楕円７４の周で全反射される。そして、この光は他の焦点７４ｃ′へと反射される。楕円の偏心度が増大すると、角度α（α≦α0）に対応する成す角７４ｄも増大する。従って、楕円７４の短軸７４ｙが減少すると、入力面７１の視野が増大する。
【０２１３】
動作中には、赤外線は電力制御ユニット１０のワイヤレス遠隔送信機２０、３０、４０、５０の等の外部供給源から発され、入力面７１に入る。レンズの好ましい実施例において、入力面７１は平面的な矩形の形状を有する。しかしながら、レンズは任意の形状及び輪郭で製造することができる。好ましくは、図９Ａに示すように、ユニットの前面から見て、入力面７１は矩形（長方形）であり、長辺寸法は１．６７ｃｍ（０．６６０インチ）であり、短辺寸法が０．３０ｃｍ（０．１２０インチ）である。更に、レンズ７０は、通常、屈折率ｎが好ましくは１ないし２であるポリカーボネートプラスティック等の光学材料から製造される。ここで、ｎは、真空中の光速と光学材料中の光速との比として定義される。好ましくは、屈折率ｎ＝１．５８６であるレクサン１４１が使用される。
【０２１４】
図７を参照すると、赤外線検出器７６（破線で示す）は、通常は赤外線透過性材料から成る半球形カバー７７に包囲されている、赤外線受容ダイオード（フォトダイオード）７８である。適当な赤外線検出器はソニー社で製造され、部品ナンバーＳＢＸ８０２５−Ｈで販売されている。
【０２１５】
本発明の他の態様において、レンズ７０は制御スイッチアクチュエータ１３等の可動部材上に配置され、レンズの出力面７３が赤外線検出器７６の入力面７７に隣接するように配置される。赤外線検出器７６はレンズ７０の背後の固定位置に配置される。図９Ａ及び図９Ｂに示す可動部材１３及びレンズ７０は赤外線検出器７６の固定位置及びその入力面７７に向かうように、及びそこから離れるように移動する。通常、レンズ７０の出力面７３は、それが検出器７６の前面７７から最も離れた点において、０．２０ｃｍ（０．０８０インチ）だけ検出器７６の前面７７から離される。
【０２１６】
レンズ７０の凹面出力面７３は所望の光学特性を提供し、また概ね検出器７６の入力面７７に対応（適合）している。これにより、レンズ７０を検出器７６の更に近くに取り付けることができる。
【０２１７】
上述した内容は、レンズ７０を制御スイッチアクチュエータ１３に設置するにあたって、単一の平面、好ましくは、水平面において広い視角を有するレンズ７０の二次元をどのように構成するかを開示し、更にレンズ７０の作用はｘ軸及びｙ軸に沿った二次元で説明してきた。
【０２１８】
２方向に広い視角を有するレンズを構成するために、上述した設計はレンズの軸７４ｘの周りで直交方向に二度使用される。この結果としてできたレンズは楕円体である。ｙ軸７４ｙの長さ、及び直角な線に対して０°でレンズに入る光線に直交するｚ軸（図示せず）の長さは、赤外線検出器７６の受容面７８の形状に依存する。正方形の受容面７８の場合、レンズのｙ軸及びｚ軸は等しく、したがってレンズの入力面は円形である。このようなレンズはレンズの前方の全方向に等しい広角の性能を有する。広角の性能が単一の平面に沿ってのみ望まれるときでも、レンズはある厚さを有しなければならない。このようなレンズを製造する１つの方法は、その厚さが好ましくは受容面７８の厚さにほぼ等しくなるように楕円体の上部及び底部を切断することである。この結果がほぼ矩形の入力面７１であり、楕円の弧に適合する短い縁部を有する。これは実質的に図７、９Ｂに示す構造であり、ここでは２方向において側面７２ａが楕円の部分である。
【０２１９】
本発明は、その精神または基本的な姿勢から逸脱せずに、他の特定の形態で実施することができ、したがって、本発明の範囲を示すものとして、前述した明細書よりむしろ添付の請求の範囲を言及すべきである。
【図面の簡単な説明】
【０２２０】
【図１】図１は本発明による赤外線レンズを備えた電力制御及び受信機ユニットの好ましい実施例の正面図を示す。
【図２】図２は本発明による基本的なハンドヘルド型遠隔制御ユニットの好ましい実施例の平面図である。
【図２Ａ】図２Ａは図２に示す基本的な遠隔制御ユニットの左側面図である。
【図２Ｂ】図２Ｂは図２に示す基本的な遠隔制御ユニットの右側面図である。
【図２Ｃ】図２Ｃは図２に示す基本的な遠隔制御ユニットの端面図である。
【図３】図３は本発明による改良されたワイヤレス送信機ユニットの好ましい実施例の平面図である。
【図３Ａ】図３Ａは図３に示す改良されたワイヤレス送信機ユニットの右側面図である。
【図３Ｂ】図３Ｂは、図３に示す改良されたワイヤレス送信機ユニットの端面図である。
【図４】図４は、本発明によるシーン制御を有するワイヤレス送信機ユニットの他の好ましい実施例の平面図である。
【図４Ａ】図４Ａは図４に示すワイヤレス送信機ユニットの端面図である。
【図５】図５はシーン及び特殊機能の制御を有する、本発明による、好ましい改良されたワイヤレス送信機ユニットの他の実施例の平面図である。
【図５Ａ】図５Ａは図５に示す他の改良された送信機ユニットの端面図である。
【図６】図６は送信機ユニットの動作の流れを示すフローチャートである。
【図７】図７は本発明による赤外線レンズの好ましい実施例の平面図である。
【図８Ａ】図８Ａは赤外線の光が０°の入射角度でレンズを通過するときの、図７に示す赤外線レンズの作用を示す図である。
【図８Ｂ】図８Ｂは赤外線の光が４０°の入射角度でレンズを通過するときの、図７に示す赤外線のレンズの作用を示す図である。
【図８Ｃ】図８Ｃは赤外線の光が８０°の入射角度でレンズを通過するときの、図７に示す赤外線のレンズの作用を示す図である。
【図９Ａ】図９Ａは本発明による可動な表面に配置された赤外線レンズの設定を示す図である。
【図９Ｂ】図９Ｂは可動な表面配置された赤外線レンズと赤外線検出器の斜視図である。
【図１０】図１０は図１に示す受信機ユニットの回路のブロック図である。
【図１１】図１１は図２に示す基本的な遠隔制御ユニットの回路のブロック図である。
【図１２Ａ】図１２Ａは図３に示す改良された遠隔制御ユニットの回路のブロック図である。
【図１２Ｂ】図１２Ｂは図４に示す改良された遠隔制御ユニットの回路のブロック図である。
【図１２Ｃ】図１２Ｃは図５に示す改良された遠隔制御ユニットの回路のブロック図である。
【図１３】図１３は受信機ユニットの動作の機能的な流れ図である。
【図１４】図１４は受信機ユニットの動作の機能的な流れ図である。
【図１５】図１５は受信機ユニットの動作の機能的な流れ図である。
【図１６】図１６は受信機ユニットの動作の機能的な流れ図である。
【図１７】図１７は受信機ユニットの動作の機能的な流れ図である。
【図１８】図１８は受信機ユニットの動作の機能的な流れ図である。
【図１９】図１９は受信機ユニットの動作の機能的な流れ図である。
【図２０】図２０は受信機ユニットの動作の機能的な流れ図である。
【図２１】図２１は図１に示す電力制御装置のオフへの遅延プロフィールを示す図である。
【図１】
2008305800.tif 000003
【図２】
2008305800.tif 000004
【図２Ａ】
2008305800.tif 000005
【図２Ｂ】
2008305800.tif 000006
【図２Ｃ】
2008305800.tif 000007
【図３】
2008305800.tif 000008
【図３Ａ】
2008305800.tif 000009
【図３Ｂ】
2008305800.tif 000010
【図４】
2008305800.tif 000011
【図４Ａ】
2008305800.tif 000012
【図５】
2008305800.tif 000013
【図５Ａ】
2008305800.tif 000014
【図６】
2008305800.tif 000015
【図７】
2008305800.tif 000016
【図８Ａ】
2008305800.tif 000017
【図８Ｂ】
2008305800.tif 000018
【図８Ｃ】
2008305800.tif 000019
【図９Ａ】
2008305800.tif 000020
【図９Ｂ】
2008305800.tif 000021
【図１０】
2008305800.tif 000022
【図１１】
2008305800.tif 000023
【図１２Ａ】
2008305800.tif 000024
【図１２Ｂ】
2008305800.tif 000025
【図１２Ｃ】
2008305800.tif 000026
【図１３】
2008305800.tif 000027
【図１４】
2008305800.tif 000028
【図１５】
2008305800.tif 000029
【図１６】
2008305800.tif 000030
【図１７】
2008305800.tif 000031
【図１８】
2008305800.tif 000032
【図１９】
2008305800.tif 000033
【図２０】
2008305800.tif 000034
【図２１】
2008305800.tif 000035
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
赤外線受容面と、赤外線出力面と、それらの間に結合された赤外線透過性の本体部分と、を有し、
前記出力面は凹面形状を有し、前記本体部分は楕円に実質的に適合する外部表面を有する、
ことを特徴とする赤外線受光レンズ。
【請求項２】
前記受容面は、矩形形状の平面を有することを特徴とする請求項１に記載のレンズ。
【請求項３】
前記本体部分の径は、前記矩形の長辺の寸法より小さいことを特徴とする請求項２に記載のレンズ。
【請求項４】
平面的な赤外線受容面と、
赤外線出力面と、
それらの間に結合された平坦な赤外線透過性の本体部分と、
を有し、
前記出力面は、赤外線検出器の入力面に実質的に適合する形状を有し、
前記平坦な本体部分は、楕円に実質的に適合する外部側面を有し、
前記外部側面は、前記本体部分の長手軸から横方向に離間され、又当該レンズの入力面及び前記本体部分に入る赤外線を前記出力面へと反射する形状とされ、
前記出力面は、前記赤外線検出器の入力面上へと赤外線を指向させ、
前記本体部分は、前記入力面と前記出力面との間の距離未満で、更に前記外部側面間の距離未満である厚さを有する、
ことを特徴とする赤外線受光レンズ。
【請求項５】
当該レンズは、当該レンズの出力面が前記赤外線検出器の入力面に隣接し、かつ、当該レンズの出力面が前記赤外線検出器の入力面に向かうように及び前記赤外線検出器の入力面から離れるように移動するように、可動部材上に配置されることを特徴とする請求項４に記載のレンズ。
【請求項６】
少なくとも一個の電気装置に供給される電力を制御する装置であって、
（ａ）赤外線制御信号を発生して送信するためのスイッチを有するワイヤレス送信機と、
（ｂ）前記ワイヤレス送信機からの前記赤外線制御信号を受信するための受信機を有する少なくとも一個の制御ユニットと、
を有し、
前記少なくとも一個の制御ユニットは、前記赤外線制御信号に応じて、前記少なくとも一個の電気装置に供給される電力を制御するための、電力制御回路を有し、又前記少なくとも一個の制御ユニットは、赤外線受光レンズを有し、該レンズは、赤外線受容面と、赤外線出力面と、それらの間に結合された赤外線透過性の本体部分と、を有し、前記出力面は、凸面形状を有し、前記本体部分は、楕円に実質的に適合する外部表面であって、前記本体部分の長手軸の周りに形成された外部表面を有する、
ことを特徴とする前記装置。
【請求項７】
前記受容面は、矩形形状の平面を有することを特徴とする請求項６に記載の装置。
【請求項８】
前記本体部分の径は、前記矩形の長辺の寸法より小さいことを特徴とする請求項７に記載の装置。
【請求項９】
前記少なくとも一個の制御ユニットは、可動の第１のスイッチアクチュエータを有し、前記赤外線受光レンズは、前記第１のスイッチアクチュエータ中の開口部内に配置されることを特徴とする請求項６に記載の装置。
【手続補正２】
【補正対象書類名】明細書
【補正対象項目名】００６４
【補正方法】変更
【補正の内容】
【００６４】
選択アクチュエータ１２及び制御スイッチアクチュエータ１３は特定の形態には制限されず、ユーザによって作動させることができる任意の適当な設計であってよい。好ましくは、必ずしもそうでなくともよいが、アクチュエータ１２は２つの分離した一時的接触プッシュスイッチ６２ａ、６２ｂを制御するが、例えば、本発明から離れることなく、ロッカースイッチを制御するようにすることもできる。アクチュエータ１２の上方部分１２ａの作動は光度レベルを増大させ、すなわち、上昇させ、アクチュエータ１２の下方部分１２ｂの作動は光度レベルを減少させ、すなわち、降下させる。好ましくは、必ずしもそうでなくともよいが、アクチュエータ１３は、プッシュボタン一時的接触タイプのスイッチ６３を制御するが、スイッチ６３は、本発明の範囲から逸脱せずに、他の適当なタイプであってもよい。
【手続補正３】
【補正対象書類名】明細書
【補正対象項目名】００８８
【補正方法】変更
【補正の内容】
【００８８】
更に、改良されたワイヤレス制御ユニット３０は、図３Ｂに最もよく示されるように、改良されたワイヤレス制御ユニット３０の端部３４の開口部３５に配置された赤外線送信ダイオード３６を有する。別の例として、改良されたワイヤレス制御ユニット３０は更に、アドレススイッチ３３２と、アドレススイッチアクチュエータ（図示しないが、基本的なワイヤレス制御ユニット２０とともに使用されるアドレススイッチアクチュエータ２２と同じ）とを有し得る。スイッチ３３１ａ、３３１ｂ、３３２、３３３ａ、３３３ｂは図１２Ａに示されている。
【手続補正４】
【補正対象書類名】明細書
【補正対象項目名】０１０３
【補正方法】変更
【補正の内容】
【０１０３】
改良されたワイヤレス遠隔制御ユニット４０のアクチュエータ４３、４１ａ、４１ｂ、４１ｃ、４１ｄ、４１ｅの作動は、それらが作動させる各スイッチ４４３ａ、４４３ｂ、４４１ａ、４４１ｂ、４４１ｃ、４４１ｄ、４４１ｅを閉止させる。このスイッチの閉止はマイクロプロセッサ４７によって検出される。アクチュエータが作動されたという情報は、図６及び図１２Ｂの説明に関連して後で更に詳細に説明するように、赤外線送信ダイオード４６から赤外線信号を介して送信される。
【手続補正５】
【補正対象書類名】明細書
【補正対象項目名】０１１４
【補正方法】変更
【補正の内容】
【０１１４】
改良されたワイヤレス遠隔制御ユニット５０のアクチュエータ５３、５１ａ、５１ｂ、５１ｃ、５１ｄ、５１ｅ、５１ｆ、５１ｇ、５１ｈ、５１ｉの作動は、それらが作動させる各スイッチ５５３ａ、５５３ｂ、５５１ａ、５５１ｂ、５５１ｃ、５５１ｄ、５５１ｅ、５５１ｆ、５５１ｇ、５５１ｈ、５５１ｉを閉止させる。このスイッチの閉止はマイクロプロセッサ４７によって検出される。アクチュエータが作動されたという情報は、図６及び図１２Ｃの説明に関連して後で更に詳細に説明するように、赤外線送信ダイオード５６からの赤外線信号を介して送信される。
【手続補正６】
【補正対象書類名】明細書
【補正対象項目名】０１９５
【補正方法】変更
【補正の内容】
【０１９５】
最初の決定ステップはステップ１５２８の“上昇か”であり、ここで、増大電力レベルアクチュエータ２３ａ、３３ａが作動されたこと、または電力レベル選択アクチュエータ４３、５３がその上方位置に作動されたことを、ＩＲ信号が指示するかどうかの決定がなされる。決定ステップ１５２８の“上昇か”からの出力が“ｙｅｓ”である場合、プログラムはステップ１５３０の“上昇ルーチンに行く”に進む。上昇ルーチンは図１６に示されている。決定ステップ１５２８からの出力が“ｎｏ”である場合、プログラムは決定ステップ１５０８の“下降か”に進み、ここで減少電力レベルアクチュエータ２３ｂ、３３ｂが作動されたこと、または電力レベル選択アクチュエータ４３、５３がその下降位置に作動されたことを、ＩＲ信号が指示するかどうかの決定がなされる。決定ステップ１５０８の“下降か”からの出力が“ｙｅｓ”である場合、プログラムはステップ１５１０の“下降ルーチンに行く”に進む。下降ルーチンは図１５に示されている。決定ステップ１５０８の“下降か”からの出力が“ｎｏ”である場合、プログラムは決定ステップ１５０２の“フルオンか”に進み、ここで、ＩＲ信号が、図２に示すような送信機スイッチアククュエータ２１の２回の一時的な作動が短期間の間に起こったことを指示するかどうかについて決定がなされる。決定ステップ１５０２からの出力が“ｙｅｓ”であれば、制御ユニット１０はステップ１５１２の“高速フェードでフルオンにフェード”の命令を受け、これは電灯１１４の光度を最大限まで迅速に増大させ、次いでステップ１５６２の“ＬＥＤを更新”に進み、ここで、電灯１１４の光度が増大するにつれて、連続的により上方の指示装置１４が次々に照明され、次いでプログラムはステップ１５６４でメインの最上部に進む。
【手続補正７】
【補正対象書類名】明細書
【補正対象項目名】０２０７
【補正方法】変更
【補正の内容】
【０２０７】
決定ステップ１５８２の“オフか”の出力が“ｙｅｓ”である場合、ユニットはステップ１５８４の“オフにフェード”の命令を受け、ここで制御ユニット１０の出力電力がゼロまで減少する。プログラムは次いで、上述したのと同じ作用を有するステップ１５５８の“シーン用のプリセットとして光度レベルを格納する”、ステップ１５６０の“ＬＥＤの点滅”、ステップ１５６２の“ＬＥＤの更新”及びステップ１５６４の“メインの最上部へ戻る”に進む。決定ステップ１５８２の“オフか”の出力が“ｎｏ”であるならば、プログラムはステップ１５６４の“メインの最上部に戻る”に進む。
【外国語明細書】
2008305800000001.pdf
2008305800000002.pdf
2008305800000003.pdf
2008305800000004.pdf